(57)【要約】【課題】種々の表示情報を安価に遊技者に提供することができる遊技機用表示装置を提供する。【解決手段】呼出表示装置１２０−Ａ１は、ランプ１２１−Ａ１、呼出表示装置用表示器１２３−Ａ１、呼出表示制御装置１２４−Ａ１を有している。表示情報管理装置１６０は、表示情報を示す第１の情報を中継装置１４０−Ａに送信する。中継装置１４０−Ａは、変換情報データベース１４１−Ａａに記憶されている変換情報及び表示器情報データベース１４１−Ａｂに記憶されている表示器情報に基づいて、表示情報管理装置１６０から送信された第１の情報を、呼出表示装置用表示器１２３−Ａ１の仕様に対応するドット情報により形成される第２の情報に変換し、呼出表示装置用表示器１２３−Ａ１を制御する呼出表示制御装置１２４−Ａ１に送信する。【選択図】図１
2008206595.tif 000002
【特許請求の範囲】
【請求項１】
遊技機用情報表示装置であって、
遊技機に対応して設けられている表示器と、前記表示器に対応して設けられている表示制御装置と、前記表示制御装置と通信可能な中継装置と、前記中継装置がアクセス可能な中継装置用記憶装置と、前記中継装置と通信可能な管理装置とを備え、
前記中継装置用記憶装置には、表示情報を示す第１の情報を表示器の仕様に対応する第２の情報に変換する変換情報と、当該中継装置用記憶装置にアクセス可能な中継装置と通信可能な表示制御装置により制御される表示器の仕様を示す表示器情報が記憶されており、
前記管理装置は、表示情報を示す第１の情報を送信し、
前記中継装置は、前記中継装置用記憶装置に記憶されている変換情報と表示器情報に基づいて、前記管理装置から送信された第１の情報を、当該中継装置と通信可能な表示制御装置により制御される表示器の仕様に対応する第２の情報に変換し、変換した第２の情報を、当該表示器を制御する表示制御装置に送信し、
前記表示制御装置は、前記中継装置から送信された第２の情報に基づいて前記表示器を制御する、
ことを特徴とする遊技機用表示装置。
【請求項２】
遊技機用情報表示装置であって、
遊技機に対応して設けられている表示器と、前記表示器に対応して設けられている表示制御装置と、前記表示制御装置がアクセス可能な表示制御装置用記憶装置と、前記表示制御装置と通信可能な中継装置と、前記中継装置がアクセス可能な中継装置用記憶装置と、前記中継装置と通信可能な管理装置とを備え、
前記表示制御装置用記憶装置には、当該表示制御装置用記憶装置にアクセス可能な表示制御装置により制御される表示器の仕様を示す表示器情報が記憶されており、
前記中継装置用記憶装置には、表示情報を示す第１の情報を表示器の仕様に対応する第２の情報に変換する変換情報が記憶されており、
前記管理装置は、表示情報を示す第１の情報を送信し、
前記中継装置は、当該中継装置がアクセス可能な中継装置用記憶装置に記憶されている変換情報に基づいて、前記管理装置から送信された第１の情報を表示器の仕様に対応する第２の情報に変換し、変換した第２の情報と当第２の情報に対応する表示器の仕様を示す表示器情報を組み合わせて送信し、
前記表示制御装置は、前記中継装置から送信された表示器情報が、当該表示制御装置がアクセス可能な表示制御装置用記憶装置に記憶されている表示器情報と一致する場合に、当該表示器情報と組み合わせて送信された第２の情報に基づいて前記表示器を制御する、
ことを特徴とする遊技機用表示装置。
【請求項３】
遊技機用情報表示装置であって、
遊技機に対応して設けられている表示器と、前記表示器に対応して設けられている表示制御装置と、前記表示制御装置と通信可能な中継装置と、前記中継装置がアクセス可能な中継装置用記憶装置と、前記中継装置と通信可能な管理装置と、前記管理装置がアクセス可能な管理装置用記憶装置を備え、
前記中継装置用記憶装置には、当該中継装置用記憶装置にアクセス可能な中継装置と通信可能な表示制御装置により制御される表示器の仕様を示す表示器情報が記憶されており、
前記管理装置用記憶装置には、表示情報を示す第１の情報を表示器の仕様に対応する第２の情報に変換する変換情報が記憶されており、
前記管理装置は、当該管理装置がアクセス可能な管理装置用記憶装置に記憶されている変換情報に基づいて、表示情報を示す第１の情報を表示器の仕様に対応する第２の情報に変換し、変換した第２の情報と当該第２の情報に対応する表示器の仕様を示す表示器情報を組み合わせて送信し、
前記中継装置は、前記管理装置から送信された表示器情報が、当該中継装置がアクセス可能な中継装置用記憶装置に記憶されている変換器情報と一致する場合に、当該表示器情報と組み合わせて送信された第２の情報を、当該表示器情報で示される仕様の表示器を制御する表示制御装置に送信し、
前記表示制御装置は、前記中継装置から送信された第２の情報に基づいて前記表示器を制御する、
ことを特徴とする遊技機用表示装置。
【請求項４】
遊技機用情報表示装置であって、
遊技機に対応して設けられている表示器と、前記表示器に対応して設けられている表示制御装置と、前記表示制御装置がアクセス可能な表示制御装置用記憶装置と、前記表示制御装置と通信可能な中継装置と、前記中継装置と通信可能な管理装置と、前記管理装置がアクセス可能な管理装置用記憶装置を備え、
前記表示制御装置用記憶装置には、当該表示制御装置用記憶装置にアクセス可能な表示制御装置により制御される表示器の仕様を示す表示器情報が記憶されており、
前記管理装置用記憶装置には、表示情報を示す第１の情報を表示器の仕様に対応する第２の情報に変換する変換情報が記憶されており、
前記管理装置は、当該管理装置がアクセス可能な管理装置用記憶装置に記憶されている変換情報に基づいて、表示情報を示す第１の情報を表示器の仕様に対応する第２の情報に変換し、変換した第２の情報と当該第２の情報に対応する表示器の仕様を示す表示器情報を組み合わせて送信し、
前記中継装置は、前記管理装置から送信された第２の情報と表示器情報の組み合わせを中継し、
前記表示制御装置は、前記管理装置から送信された表示器情報が、当該表示制御装置がアクセス可能な表示制御装置用記憶装置に記憶されている表示器情報と一致する場合に、当該表示器情報と組み合わせて送信された第２の情報に基づいて前記表示器を制御する、
ことを特徴とする遊技機用表示装置。
【請求項５】
請求項１〜４のいずれかに記載の遊技機用表示装置であって、
呼出報知用のランプと、呼出表示装置用表示器と、前記ランプと前記呼出表示装置用表示器を制御する呼出表示制御装置と、前記呼出表示制御装置がアクセス可能な呼出表示装置用記憶装置により構成される呼出表示装置が遊技機に対応して設けられており、
前記表示器、前記表示制御装置、前記表示制御装置用記憶装置として、前記呼出表示装置の呼出表示装置用表示器、呼出表示制御装置、呼出表示装置用記憶装置が用いられている、
ことを特徴とする遊技機用表示装置。
【請求項６】
請求項１〜５のいずれかに記載の遊技機用表示装置であって、
前記中継装置がアクセス可能な中継装置用記憶装置には、当該中継装置と通信可能な表示制御装置によって制御される表示器に対応する遊技機の遊技機情報が記憶されており、
前記管理装置は、前記第１の情報と遊技機情報を組み合わせて、または、前記第２の情報と遊技機情報を組み合わせて送信し、
前記中継装置は、前記管理装置から送信された遊技機情報と一致する遊技機情報が、当該中継装置がアクセス可能な中継装置用記憶装置に記憶されている場合に、当該遊技機情報が記憶されている遊技機に対応する表示器を制御する表示制御装置に、当該遊技機情報と組み合わせて送信された第１の情報を前記変換情報に基づいて変換した第２の情報、または、当該遊技機情報と組み合わせて送信された第２の情報を送信し、
前記表示制御装置は、前記中継装置から送信された第２の情報に基づいて前記表示器を制御する、
ことを特徴とする遊技機用表示装置。
【請求項７】
請求項１〜５のいずれかに記載の遊技機用表示装置であって、
前記表示制御装置がアクセス可能な表示制御装置用記憶装置には、当該表示制御装置によって制御される表示器に対応する遊技機の遊技機情報が記憶されており、
前記管理装置は、前記第１の情報と遊技機情報を組み合わせて、または、前記第２の情報と遊技機情報を組み合わせて送信し、
前記中継装置は、前記管理装置から送信された第１の情報を前記変換情報に基づいて変換した第２の情報と、当該第１の情報と組み合わせて送信された遊技機情報を組み合わせて送信し、または、前記管理装置から送信された第２の情報と遊技機情報の組み合わせを送信し、
前記表示制御装置は、前記中継装置から送信された遊技機情報が、当該表示制御装置がアクセス可能な表示制御装置用記憶装置に記憶されている遊技機情報と一致する場合に、当該遊技機情報と組み合わせて送信された第２の情報に基づいて前記表示器を制御する、
ことを特徴とする遊技機用表示装置。
【請求項８】
請求項１〜７のいずれかに記載の遊技機用表示装置であって、
前記中継装置がアクセス可能な中継装置用記憶装置には、当該中継装置と通信可能な表示制御装置により制御される表示器に対応する遊技機の遊技機情報が記憶されており、また、集計遊技情報が記憶可能であり、
前記表示制御装置は、当該表示制御装置により制御される表示器に対応する遊技機と通信可能に構成されており、当該遊技機から送信された遊技情報を、当該表示制御装置と通信可能な中継装置に送信し、
前記中継装置は、前記表示制御装置から送信された遊技情報と、当該中継装置がアクセス可能な中継装置用記憶装置に記憶されている、当該表示制御装置により制御される表示器に対応する遊技機の遊技機情報に基づいて、当該中継装置がアクセス可能な中継装置用記憶装置に集計遊技情報を記憶する、
ことを特徴とする遊技機用表示装置。
【請求項９】
請求項１〜７のいずれかに記載の遊技機用表示装置であって、
前記中継装置がアクセス可能な中継装置用記憶装置には、当該中継装置と通信可能な表示制御装置により制御される表示器に対応する遊技機の遊技機情報が記憶されており、
前記管理装置がアクセス可能な管理装置用記憶装置には、集計遊技情報が記憶可能であり、
前記表示制御装置は、当該表示制御装置により駆動される表示器に対応する遊技機と通信可能に構成されており、当該遊技機から送信された遊技情報を、当該表示制御装置と通信可能な中継装置に送信し、
前記中継装置は、前記表示制御装置から送信された遊技情報と、当該中継装置がアクセス可能な中継装置用記憶装置に記憶されている、当該表示制御装置により駆動される表示器に対応する遊技機の遊技機情報を前記管理装置に送信し、
前記管理装置は、前記中継装置から送信された遊技情報と遊技機情報に基づいて、当該管理装置がアクセス可能な管理装置用記憶装置に集計遊技情報を記憶する、
ことを特徴とする遊技機用表示装置。
【請求項１０】
請求項９の遊技機用表示装置であって、
前記管理装置は、当該管理装置がアクセス可能な管理装置用記憶装置に記憶されている集計遊技情報に基づいて表示情報を作成する、
ことを特徴とする遊技機用表示装置。
【発明の詳細な説明】
【技術分野】
【０００１】
本発明は、遊技機用表示装置に関する。
【背景技術】
【０００２】
パチンコ機やスロットマシン等の遊技機には、メッセージ等の表示情報を表示する表示器が設けられている。
例えば、通常、遊技機の上部には、遊技者が遊技場の係員を呼び出す際に用いられる呼出装置（「呼出ランプ」と呼ばれている）が配設されている。呼出装置は、ランプと呼出ボタンを有している。遊技者が呼出ボタンを操作すると、ランプが点灯し、遊技場の係員の呼び出しが報知される。この呼出装置に表示器を設けた呼出表示装置が特許文献１に記載されている。特許文献１に記載の呼出表示装置は、ランプと、ＬＥＤ（発光ダイオード）をドットマトリクス状に配置した表示器を有している。ランプは、遊技者が遊技場の係員を呼び出す際に点灯される。また、表示器には、呼び出していることを示すメッセージ、大当り回数や始動回数を示すメッセージ、大当たりが発生していることを示すメッセージが表示される。
【特許文献１】特開平８−７１２３９号公報
【発明の開示】
【発明が解決しようとする課題】
【０００３】
近年、管理装置から各表示器に種々の表示情報の表示を指示可能に構成することにより、遊技者に種々の情報を安価に提供することができる遊技機用表示装置の開発が要望されている。
このような遊技機用表示装置の表示器として、特許文献１に記載の呼出表示装置の表示器を用いることが考えられる。
通常、ＬＥＤをドットマトリクス状に配置した表示器（ドットマトリクス表示器）に、文字情報や記号情報等のキャラクタ情報により形成される表示情報を表示する際には、キャラクタ情報を表示器の仕様（例えば、縦方向のドット数と横方向のドット数の積で表される総ドット数、明るさや色の調整可能範囲を示す階調数）に対応するキャラクタドット情報に変換し、変換したキャラクタドット情報に基づいて表示器が制御される。例えば、キャラクタ情報を示すキャラクタコードに対応するキャラクタドット情報を記憶するキャラクタＲＯＭ（キャラクタジェネレータ）が設けられ、このキャラクタＲＯＭを用いて、メッセージ情報を形成するキャラクタ情報を示すキャラクタコードに対応するキャラクタドット情報に変換される。
ここで、遊技場には、種々の仕様の表示器が用いられる。この場合、表示器は、キャラクタＲＯＭに記憶されているキャラクタコードで示されるキャラクタ情報しか表示することができない。
このため、前述した遊技機用表示装置の表示器として特許文献１に記載の呼出表示装置の表示器を用いる場合には、管理装置から指示する表示情報としては、各表示器で表示可能な表示情報、例えば、各表示器のキャラクタＲＯＭに共通に記憶されているキャラクタコードで示されるキャラクタ情報により形成されるメッセージ情報に限定される。また、表示器としてドットマトリクス表示器や液晶表示器を用い、ドット情報によって形成される画像情報（例えば、撮像情報）を表示情報として表示器に表示させる場合には、管理装置から指示する表示情報としては、各表示器の仕様に対応するドット情報に変換可能な画像情報に限定される。
一方、管理装置から、表示器の仕様に限定されない、種々の表示情報の表示を指示可能とするためには、管理装置から送信される表示情報を示す情報を表示器の仕様に対応するドット情報に変換する処理を各表示器側で行う必要がある。この場合、個々の表示器（表示器や表示制御装置等を含む表示装置）のコストが上昇する。
本発明は、このような点に鑑みて創案されたものであり、種々の表示情報を安価に遊技者に提供することができる遊技機用表示装置を得ることを目的とする。
【課題を解決するための手段】
【０００４】
以下に説明する各発明の「遊技機」は、パチンコ機やスロットマシン等の種々の遊技機を包含する。また、「表示器」は、ドット情報に基づいて制御される種々の表示器を包含する。典型的には、ＬＥＤをドットマトリクス状に配置したドットマトリクス表示器、液晶表示器が対応する。
本発明の第１発明は、請求項１に記載された構成を備える遊技機用表示装置である。
本発明は、遊技機に対応して設けられた表示器と、表示器に対応して設けられた表示制御装置と、表示制御装置と通信可能な中継装置と、中継装置と通信可能な管理装置を有している。中継装置は、複数の表示制御装置と通信可能に構成される。典型的には、中継装置は、遊技場に設けられている表示制御装置（表示器）と通信可能に、すなわち、遊技場に対応して設けられる。管理装置、中継装置、表示制御装置は、ＣＰＵ（処理回路）を主体に構成される。
遊技機に対応する表示器としては、呼出表示装置に設けられている表示器を用いるのが好ましい。この場合、呼出表示装置の表示器を用いて種々の表示情報を遊技者に提供することができるため、安価に構成することができる。
また、中継装置がアクセス可能な中継装置用記憶装置を有している。この中継装置用記憶装置には、表示情報を示す第１の情報を表示器の仕様に対応する第２の情報に変換する変換情報と、当該中継装置用記憶装置にアクセス可能な中継装置と通信可能な表示制御装置により制御される表示器の仕様を示す表示器情報が記憶されている。表示情報を示す第１の情報としては、例えば、メッセージを形成するキャラクタ情報（文字情報、記号情報等）を示すキャラクタコード、画像情報（撮像情報）を形成する任意のドット情報が用いられる。表示器の仕様に対応する第２の情報としては、例えば、総ドット数、各ドットの明るさや色の階調数等の表示器の仕様に対応するドット情報が用いられる。第１の情報を第２の情報に変換する変換情報としては、例えば、キャラクタコードに対応するドット情報、任意のドット情報を他のドット情報に変換する変換式や変換方法が用いられる。中継装置用記憶装置には、少なくとも、第１の情報を、中継装置と通信可能な表示制御装置によって制御される表示器の仕様に対応する第２の情報に変換することができる変換情報が記憶される。変換情報を中継装置用記憶装置に記憶する態様としては、表示器それぞれに対応させて記憶する態様や、表示器の仕様に対応させて記憶する態様を用いることができる。表示器の仕様を示す表示器情報としては、例えば、表示器の総ドット数、各ドットの明るさや色の階調数が用いられる。変換器情報を中継装置に記憶する態様としては、変換器それぞれに対応させて変換器情報を記憶する態様や、同じ仕様の表示器グループに対応させて変換器情報を記憶する態様を用いることができる。
そして、管理装置は、表示情報を示す第１の情報を送信する。表示情報としては、管理装置がアクセス可能な管理装置用記憶装置に予め記憶されている情報、管理装置が作成した情報、インターネット上のＷＥＢサイトに掲載されている情報等を用いることができる。また、表示情報としては、例えば、表示器に対応する遊技機または表示器に対応する遊技機と同じ機種の遊技機に関する遊技情報、呼び出し情報、遊技機の遊技方法、新台の紹介情報、ニュース、タイムサービス情報等の種々の情報を用いることができる。
中継装置は、中継装置用記憶装置に記憶されている表示器情報に基づいて、当該中継装置と通信可能な表示制御装置によって制御される表示器の仕様を判別する。また、中継装置用記憶装置に記憶されている変換情報に基づいて、管理装置から送信された第１の表示情報を、表示器の仕様に対応する第２の情報に変換する。そして、変換した第２の情報を、当該第２の情報に対応する仕様の表示器を制御する表示制御装置に送信する。第２の情報を表示制御装置に送信する処理（表示器の仕様を判別する処理、第１の情報を第２の情報に変換する処理）は、中継装置と通信可能な全ての表示制御装置に対して行うこともできるし、指示された表示制御装置に対してのみ行うこともできる。第２の情報を送信する表示制御装置を指示する方法としては、例えば、表示制御装置により制御される表示器の仕様を支持する方法や、表示制御装置により制御される表示器に対応する遊技機または遊技機の機種を指示する方法等を用いることができる。
表示制御装置は、中継装置から送信された第２の情報に基づいて表示器を制御する。
本発明では、中継装置用記憶装置に変換情報と表示器情報を記憶している。これにより、第１の情報を表示器の仕様に対応する第２の情報に変換する処理を表示器（表示器や表示制御装置等を含む表示装置）毎に行う必要がないため、表示器のコストを抑制することができる。また、管理装置を複数の遊技場で共用することができるため、管理装置のコストを抑制することができる。また、表示器の交換や表示器の増設等に対しては、中継装置用記憶装置に記憶されている表示器情報や変換情報の更新、中継装置の増設等によって容易に対応することができる。
【０００５】
本発明の第２発明は、請求項２に記載の構成を備える遊技機用表示装置である。
本発明は、遊技機に対応する表示器と、表示器に対応する表示制御装置と、表示制御装置と通信可能な中継装置と、中継装置と通信可能な管理装置を有している。中継装置は、複数の表示制御装置と通信可能に構成される。管理装置、中継装置、表示制御装置は、ＣＰＵ（処理回路）を主体に構成される。遊技機に対応する表示器としては、呼出表示装置に設けられている表示器を用いるのが好ましい。
また、表示制御装置がアクセス可能な表示制御装置用記憶装置と、中継装置がアクセス可能な中継装置用記憶装置を有している。表示制御装置用記憶装置には、当該表示制御装置用記憶装置にアクセス可能な表示制御装置により制御される表示器の仕様を示す表示器情報が記憶されている。また、中継装置用記憶装置には、表示情報を示す第１の情報を表示器の仕様に対応する第２の情報に変換する変換情報が記憶されている。第１の情報、第２の情報、変換情報、表示器情報としては、前記した情報を用いることができる。表示器情報を表示制御装置用記憶装置に記憶する態様や変換情報を中継装置用記憶装置に記憶する態様としては種々の態様を用いることができる。
そして、管理装置は、表示情報を示す第１の情報を送信する。
中継装置は、中継装置用記憶装置に記憶されている変換情報に基づいて、管理装置から送信された第１の情報を、表示器の仕様に対応する第２の情報に変換する。そして、変換した第２の情報と当該第２の情報に対応する表示器の仕様を示す表示器情報を組み合わせて送信する。第１の情報を第２の情報に変換する処理は、中継装置と通信可能な表示制御装置によって制御される全ての表示器の仕様に対して行うこともできるし、指示された表示器の仕様に対してのみ行うこともできる。変換器の仕様を指示する方法としては、例えば、管理装置から第１の情報と、変換器の仕様を示す変換器情報を組み合わせて送信する方法を用いることができる。第２の変換情報と表示器情報を組み合わせて送信する態様としては、表示制御装置が、第２の変換情報と表示器情報の組み合わせを判別することができる種々の態様を用いることができる。
表示制御装置は、中継装置から送信された表示器情報が、表示制御装置用記憶装置に記憶されている表示器情報と一致する場合に、当該表示器情報と組み合わせて送信された第２の情報に基づいて前記表示器を制御する。
本発明では、中継装置用記憶装置に表示器情報を記憶するとともに、表示制御装置用記憶装置に表示器情報を記憶している。これにより、第１の情報を表示器の仕様に対応する第２の情報に変換する処理を表示器（表示器や表示制御装置等を含む表示装置）毎に行う必要がないため、表示器のコストを抑制することができる。また、管理装置を複数の遊技場で共用することができるため、管理装置のコストを抑制することができる。また、表示器の交換や表示器の増設等に対しては、中継装置用記憶装置に記憶されている変換情報の更新、表示制御装置用記憶装置への変換器情報の記憶、中継装置の増設等によって容易に対応することができる。
【０００６】
本発明の第３発明は、請求項３に記載の構成を備える遊技機用情報表示装置である。
本発明は、遊技機に対応する表示器と、表示器に対応する表示制御装置と、表示制御装置と通信可能な中継装置と、中継装置と通信可能な管理装置を有している。中継装置は、複数の表示制御装置と通信可能に構成される。管理装置、中継装置、表示制御装置は、ＣＰＵ（処理回路）を主体に構成される。遊技機に対応する表示器としては、呼出表示装置に設けられている表示器を用いるのが好ましい。
また、中継装置がアクセス可能な中継装置用記憶装置と、管理装置がアクセス可能な管理装置用記憶装置を有している。中継装置用記憶装置には、当該中継装置用記憶装置にアクセス可能な中継装置と通信可能な表示制御装置により制御される表示器の仕様を示す表示器情報が記憶されている。また、管理装置用記憶装置には、表示情報を示す第１の情報を表示器の仕様に対応する第２の情報に変換する変換情報が記憶されている。第１の情報、第２の情報、変換情報、表示器情報としては、前記した情報を用いることができる。表示器情報を中継装置用記憶装置に記憶する態様や変換情報を管理装置用記憶装置に記憶する態様としては種々の態様を用いることができる。
管理装置は、管理装置用記憶装置に記憶されている変換情報に基づいて、表示情報を示す第１の情報を表示器の仕様に対応する第２の情報に変換する。そして、変換した第２の情報と当該第２の情報に対応する表示器の仕様を示す表示器情報を組み合わせて送信する。第１の情報を第２の情報に変換する処理は、全ての表示器の仕様に対して行うこともできるし、指示された表示器の仕様に対してのみ行うこともできる。表示器の仕様を指示する方法としては、例えば、表示情報を表示する表示器の仕様を予め定めておく方法、表示情報を表示する表示器の仕様をその都度決定する方法を用いることができる。第２の変換情報と表示器情報を組み合わせて送信する態様としては、中継装置が、第２の変換情報と表示器情報の組み合わせを判別することができる種々の態様を用いることができる。
中継装置は、管理装置から送信された表示器情報が、中継装置用記憶装置に記憶されている変換器情報と一致する場合に、当該表示器情報と組み合わせて送信された第２の情報を、当該表示器情報で示される仕様の表示器を制御する表示制御装置に送信する。
表示制御装置は、中継装置から送信された第２の情報に基づいて表示器を制御する。
本発明では、表示器情報を中継装置用記憶装置に記憶するとともに、変換情報を管理装置用記憶装置に記憶している。これにより、第１の情報を表示器の仕様に対応する第２の情報に変換する処理を表示器（表示器や表示制御装置等を含む表示装置）毎に行う必要がないため、表示器のコストを抑制することができる。また、管理装置を複数の遊技場で共用することができるため、管理装置のコストを抑制することができる。また、表示器の交換や表示器の増設等に対しては、中継装置用記憶装置に記憶されている表示器情報の更新、管理装置用記憶装置に記憶されている変換情報の更新、中継装置の増設等によって容易に対応することができる。
【０００７】
本発明の第４発明は、請求項４に記載の構成を備える遊技機用情報表示装置である。
本発明は、遊技機に対応する表示器と、表示器に対応する表示制御装置と、表示制御装置と通信可能な中継装置と、中継装置と通信可能な管理装置を有している。中継装置は、複数の表示制御装置と通信可能に構成される。管理装置、中継装置、表示制御装置は、ＣＰＵ（処理回路）を主体に構成される。遊技機に対応する表示器としては、呼出表示装置に設けられている表示器を用いるのが好ましい。
また、表示制御装置がアクセス可能な表示制御装置用記憶装置と、管理装置がアクセス可能な管理装置用記憶装置を有している。表示制御装置用記憶装置には、当該表示制御装置用記憶装置にアクセス可能な表示制御装置により制御される表示器の仕様を示す表示器情報が記憶されている。また、管理装置用記憶装置には、表示情報を示す第１の情報を表示器の仕様に対応する第２の情報に変換する変換情報が記憶されている。第１の情報、第２の情報、変換情報、表示器情報としては、前記した情報を用いることができる。表示器情報を表示制御装置用記憶装置に記憶する態様や変換情報を管理装置用記憶装置に記憶する態様としては種々の態様を用いることができる。
管理装置は、管理装置用記憶装置に記憶されている変換情報に基づいて、表示情報を示す第１の情報を第１の情報を表示器の仕様に対応する第２の情報に変換する。そして、変換した第２の情報と当該第２の情報に対応する表示器の仕様を示す表示器情報を組み合わせて送信する。第１の情報を第２の情報に変換する処理は、全ての表示器の仕様に対して行うこともできるし、指示された表示器の仕様に対してのみ行うこともできる。表示器の仕様を指示する方法としては、前記した方法を用いることができる。第２の変換情報と表示器情報を組み合わせて送信する態様としては、表示制御装置が、第２の変換情報と表示器情報の組み合わせを判別することができる種々の態様を用いることができる。
中継装置は、管理装置から送信された第２の情報と表示器情報の組み合わせを中継する。なお、本発明では、中継装置を省略することもできる。
表示制御装置は、管理装置から送信された表示器情報が表示制御装置用記憶装置に記憶されている表示器情報と一致する場合に、当該表示器情報と組み合わせて送信された第２の情報に基づいて表示器を制御する。
本発明では、表示器情報を表示制御装置用記憶装置に記憶するとともに、変換情報を管理装置用記憶装置に記憶している。これにより、第１の情報を表示器の仕様に対応する第２の情報に変換する処理を表示器（表示器や表示制御装置等を含む表示装置）毎に行う必要がないため、表示器のコストを抑制することができる。また、管理装置を複数の遊技場で共用することができるため、管理装置のコストを抑制することができる。また、表示器の交換や表示器の増設等に対しては、表示制御装置用記憶装置への表示器情報の記憶、管理装置用記憶装置に記憶されている変換情報の更新等によって容易に対応することができる。
【０００８】
本発明の第５発明は、請求項５に記載の構成を備える遊技機用表示装置である。
本発明では、呼出報知用のランプと、呼出表示装置用表示器と、ランプと呼出表示装置用表示器を制御する呼出表示制御装置と、呼出表示制御装置がアクセス可能な呼出表示装置用記憶装置を有する呼出表示装置が遊技機に対応して設けられている。そして、呼出表示装置の呼出表示装置用表示器、呼出表示制御装置、呼出表示装置用記憶装置が、それぞれ表示器、表示制御装置、表示制御装置用記憶装置として用いられている。
本発明では、呼出表示装置の表示器を、管理装置から指示された表示情報を表示する表示器として兼用している。これにより、管理装置から指示された表示情報を表示するための表示器（表示器や表示制御装置等を含む表示装置）を別途設ける必要がないため、コストアップを抑制しながら、種々の表示情報を遊技者に提供することができる。
【０００９】
本発明の第６発明は、請求項６に記載の構成を備える遊技機用表示装置である。
本発明では、中継装置用記憶装置には、当該中継装置用記憶装置にアクセス可能な中継装置と通信可能な表示制御装置によって制御される表示器に対応する遊技機の遊技機情報が記憶されている。遊技機情報としては、例えば、遊技機の遊技場での配設位置を示す台番号、遊技機の機種を示す機種情報等が用いられる。
管理装置は、第１の情報または第２の情報と、遊技機情報を組み合わせて送信する。第１の情報または第２の情報に組み合わせる遊技機情報は、表示情報に対応する遊技機情報を管理装置用記憶装置に予め記憶させておくことによって判別することができる。または、その都度決定することもできる。例えば、機種に関する遊技情報を当該機種の遊技機に対応する表示器に表示する場合には、当該機種を示す遊技機情報を第１の情報または第２の情報と組み合わせて送信する。
中継装置は、管理装置から送信された遊技機情報と一致する遊技機情報が中継装置用記憶装置に記憶されている場合に、当該遊技機情報で示される遊技機に対応する表示器を制御する表示制御装置に、第２の情報を送信する。この時、遊技機情報と組み合わせて第１の情報が送信された場合には、当該第１の情報を変換情報に基づいて変換した第２の情報を送信し、遊技機情報と組み合わせて第２の情報が送信された場合には、当該第２の情報を送信する。
なお、第１の情報または第２の情報と遊技機情報の組み合わせを、任意の中継装置に送信することによって、当該中継装置と通信可能な表示制御装置によって制御される表示器、例えば、当該中継装置に対応する遊技場に設けられている表示器にのみ表示情報を表示することができる。
本発明では、中継装置がアクセス可能な中継装置用記憶装置に、当該中継装置と通信可能な表示制御装置によって制御される表示器に対応する遊技機の遊技機情報が記憶されている。これにより、管理装置から第１の情報または第２の情報と遊技機情報を組み合わせて送信することによって、当該遊技機情報と一致する遊技機情報を有する遊技機に対応する表示器にのみ表示情報を表示させることができる。したがって、表示情報を表示する遊技機の機種や台番号を指示することができる。
【００１０】
本発明の第７発明は、請求項７に記載の構成を備える遊技機用表示装置である。
本発明では、表示制御装置がアクセス可能な表示制御装置用記憶装置に、当該表示制御装置によって制御される表示器に対応する遊技機の遊技機情報が記憶されている。遊技機情報としては、前記した情報を用いることができる。
管理装置は、第１の情報または第２の情報と遊技機情報を組み合わせて送信する。第１の情報または第２の情報と組み合わせる遊技機情報は、前記した方法で決定することができる。
中継装置は、管理装置から第１の情報と遊技機情報が組み合わされて送信された場合には、当該第１の情報を変換情報に基づいて変換した第２の情報と遊技情報の組み合わせを送信し、管理装置から第２の情報と遊技機情報が組み合わせて送信された場合には、そのまま中継する。
表示制御装置は、中継装置から送信された遊技機情報と一致する遊技機情報が表示制御装置用記憶装置に記憶されている場合に、当該遊技機情報と組み合わせて送信された第２の情報に基づいて表示器を制御する。
なお、第１の情報または第２の情報と遊技機情報の組み合わせを、任意の中継装置に送信することによって、当該中継装置と通信可能な表示制御装置によって制御される表示器、例えば、当該中継装置に対応する遊技場に設けられている表示器にのみ表示情報を表示することができる。
本発明では、表示制御装置がアクセス可能な表示制御装置用記憶装置に、当該表示制御装置によって制御される表示器に対応する遊技機の遊技機情報が記憶されている。これにより、管理装置から第１の情報または第２の情報と遊技機情報を組み合わせて送信することによって、当該遊技機情報と一致する遊技機情報を有する遊技機に対応する表示器にのみ表示情報を表示させることができる。したがって、表示情報を表示する遊技機の機種や台番号を指示することができる。
【００１１】
本発明の第８発明は、請求項８に記載された構成を備える遊技機用表示装置である。
本発明では、中継装置がアクセス可能な中継装置用記憶装置に、当該中継装置と通信可能な表示制御装置により制御される表示器に対応する遊技機の遊技機情報が記憶されている。
表示制御装置は、当該表示制御装置により制御される表示器に対応する遊技機と通信可能に構成されており、当該遊技機から送信された遊技情報を中継装置に送信する。遊技機から送信される遊技情報としては、例えば、パチンコ機では、遊技機に投入された遊技媒体（アウト玉）の数を示すアウト玉数情報、遊技機から払い出された遊技玉（セーフ玉）の数を示すセーフ玉数情報、大当り遊技が発生したか否かを示す大当り情報、大当たりを発生させるか否かを決定する抽選の結果の表示を開始するか否かを示す始動情報等が送信される。
中継装置は、表示制御装置から送信された遊技情報と、中継装置用記憶装置に記憶されている、当該表示制御装置により制御される表示器に対応する遊技機の遊技機情報に基づいて、中継装置用記憶装置に集計遊技情報を記憶する。中継装置用記憶装置に記憶する集計遊技情報は、表示制御装置から送信された遊技情報を用いてもよいし、遊技情報を集計した情報を用いてもよい。集計遊技情報としては、例えば、遊技機毎や機種毎の、遊技中であるか否かを示す遊技中情報、アウト玉数の合計を示す総アウト玉数情報、セーフ玉数の合計を示す総セーフ玉数情報、抽選の結果を表示した回数を示す始動回数情報、大当りが発生したか否かを示す大当たり中情報、大当たり遊技を行った回数を示す大当り回数情報等が用いられる。遊技中であるか否かは、例えば、アウト玉数情報またはセーフ玉数情報を設定期間内に受信したか否かによって判別することができる。なお、遊技者検出装置の遊技者検出信号や会員カードに記憶されている会員情報を会員情報読取装置で読み取っているか否かを示す読取信号に基づいて遊技中であるか否かを判別することもできる。
本発明では、遊技機の遊技情報を表示制御装置を介して中継装置に送信し、中継装置用記憶装置に集計遊技情報を記憶している。これにより、集計遊技情報に基づいて、例えば、中継装置に対応する遊技場における遊技機の遊技状態を安価に、容易に把握することができる。また、遊技機の集計遊技情報等を遊技者や遊技場の管理者等に提供することもできる。
【００１２】
本発明の第９発明は、請求項９に記載の構成を備える遊技機用表示装置である。
本発明では、中継装置がアクセス可能な中継装置用記憶装置には、当該中継装置と通信可能な表示制御装置により制御される表示器に対応する遊技機の遊技機情報が記憶されている。
表示制御装置は、当該表示制御装置により駆動される表示器に対応する遊技機と通信可能に構成されており、当該遊技機から送信された遊技情報を中継装置に送信する。遊技機から送信される遊技情報としては、前記した情報が用いられる。
中継装置は、表示制御装置から送信された遊技情報と、中継装置用記憶装置に記憶されている、当該表示制御装置により駆動される表示器に対応する遊技機の遊技機情報を管理装置に送信する。表示制御装置から送信された遊技情報を管理装置に送信する態様には、表示制御装置から送信された遊技情報をそのまま送信する態様だけでなく、表示制御装置から送信された遊技情報を集計した情報を送信する態様も含まれる。例えば、アウト玉数に関してはアウト玉数情報または総アウト玉数情報を送信することができ、セーフ玉に関してはセーフ玉数情報または総セーフ玉数情報を送信することができ、大当たりに関しては大当たり情報または大当たり回数情報を送信することができる。
管理装置は、中継装置から送信された遊技情報と遊技機情報に基づいて、管理装置がアクセス可能な管理装置用記憶装置に集計遊技情報を記憶する。集計遊技情報としては、前記した情報を用いることができる。なお、管理装置は、中継装置に対応する遊技場毎の集計遊城情報を管理装置用記憶装置に記憶することもできる。この場合、遊技場を判別する方法としては、例えば、管理装置用記憶装置に中継装置と遊技場の対応関係を記憶しておき、遊技情報と遊技機情報を送信した中継装置とこの対応関係に基づいて判別する方法や、遊技機情報として遊技場を判別可能な遊技情報を用いる方法等を用いることができる。
本発明では、表示制御装置は、遊技機の遊技情報を中継装置に送信し、中継装置は、遊技機の遊技情報と当該遊技機の遊技機情報を管理装置に送信し、管理装置は、遊技情報と遊技機情報に基づいて、管理装置用記憶装置に集計遊技情報を記憶している。これにより、集計遊技情報に基づいて、各遊技場に設けられている遊技機の遊技状態を安価に容易に把握することができる。また、遊技機の集計遊技情報等を遊技者や遊技場の管理者等に提供することもできる。
【００１３】
本発明の第１０発明は、請求項１０に記載の構成を備える遊技機用表示装置である。
本発明では、管理装置は、管理装置用記憶装置に記憶されている集計遊技情報に基づいて表示情報を作成する。
集計表示情報に基づいて作成する表示情報としては、例えば、全遊技場に設けられている同じ機種の遊技機の台数を示す機種別台数情報、全遊技場に設けられている同じ機種の遊技機のうち、現在遊技が行われている遊技機の台数を示す機種別遊技中台数情報、全遊技場に設けられている同じ機種の遊技機のうち、現在大当り中である遊技機の台数を示す機種別大当り中台数情報等が用いられる。
本発明では、管理装置用記憶装置に記憶されている集計遊技情報に基づいて遊技機に表示する表示情報を作成することができるため、遊技者や遊技場に対して好適な情報を提供することができる。
【発明の効果】
【００１４】
請求項１〜１０に記載の遊技機用表示装置を用いることにより、種々の表示情報を安価に提供することができる。
【発明を実施するための最良の形態】
【００１５】
以下に、本発明の実施の形態を、図面を参照して説明する。
本発明の第１の実施の形態を図１に示す。本実施の形態は、パチンコ機に対応して設けられている表示器に表示情報を表示する遊技機用表示装置として構成したものである。また、本実施の形態は、表示情報を表示する表示器として、パチンコ機に対応して設けられている呼出表示装置の呼出表示装置用表示器を用いている。なお、図１には、遊技場Ａ、Ｂの２つの遊技場に設けられている表示器により構成される遊技機用表示装置が記載されているが、本実施の形態は、１または３以上の遊技場に設けられている表示器により構成される遊技機用表示装置として構成することができる。
【００１６】
本実施の形態は、遊技機に対応して設けられている呼出表示装置と、中継装置と、表示情報管理装置を主体に構成されている。
遊技機（パチンコ機）１１０−Ａ１〜１１０−Ａｍ、１１０−Ｂ１〜１１０−Ｂｎは、遊技場（パチンコ店）Ａ、Ｂに設けられている。
また、呼出表示装置１２０−Ａ１〜１２０−Ａｍ、１２０−Ｂ１〜１２０−Ｂｎは、遊技場Ａ、Ｂに、遊技機（パチンコ機）１１０−Ａ１〜１１−Ａｍ、１１０−Ｂ１〜１１０−Ｂｎに対応して設けられている。呼出表示装置１２０−Ａ１〜１２０−Ａｍ、１２０−Ｂ１〜１２０−Ｂｎは同じ構成であるため、呼出装置１２０−Ａ１の構成について説明する。
呼出表示装置１２０−Ａ１は、例えば、遊技機１１０−Ａ１の上部に設けられ、ランプ１２１−Ａ１、呼出表示装置用表示器１２３−Ａ１、呼出ボタン１２２−Ａ１、呼出表示制御装置１２４−Ａ１、呼出表示装置用記憶装置１２５−Ａ１を有している。
ランプ１２１−Ａ１は、ＬＥＤや白熱電球により構成され、遊技者が遊技情の係員を呼び出す際に点灯される。呼出ボタン１２２−Ａ１は、遊技者が遊技場の係員を呼び出す際に操作される。呼出ボタン１２２−ａ１には、呼出ボタン１２２−ａ１が操作されたことを示す呼出ボタン操作検出信号を出力する呼出ボタン操作検出回路（図示省略）が設けられている。
呼出表示装置用表示器１２３−Ａ１としては、当該呼出表示装置用表示器１２３−Ａ１の仕様（例えば、総ドット数、明るさや色の調整可能範囲を示す階調数）に対応するドット情報に基づいて制御されることによって表示情報（文字情報や記号情報等のキャラクタ情報により形成されるメッセージ情報、ドット情報により形成される撮像情報等の画像情報）を表示する表示器が用いられる。呼出表示装置用表示器１２３−Ａ１（以下、単に「表示器１２３−Ａ１」という）は、例えば、ＬＥＤがドットマトリクス状に配置されたドットマトリクス表示器や液晶表示器等により構成され、文字情報や記号情報等のキャラクタ情報により形成されるメッセージ情報やドット情報によって形成される画像情報が表示される。
呼出表示制御装置１２４−Ａ１（以下、単に「制御装置１２４−Ａ１」という）は、ＣＰＵ（処理装置）により構成され、呼出ボタン操作検出回路から送信される操作検出信号及び中継装置１４０−Ａから送信される情報に基づいてランプ１２１−Ａ１及び表示器１２３−Ａ１を制御する。例えば、呼出ボタン操作検出回路から操作検出信号が送信されると、ランプ１２２−Ａ１を点灯する。表示器１２３−Ａ１を制御する方法については後述する。
呼出表示装置用記憶装置１２５−Ａ１（以下、単に「表示用記憶装置１２５−Ａ１」という）は、制御装置１２４−Ａ１の制御プログラムや、表示器１２３−Ａ１の仕様（総ドット数や階調数等）が記憶される。表示用記憶装置１２５−Ａ１は、制御装置１２４−Ａ１がアクセス可能であればよく、その配設位置は適宜設定可能である。
なお、図示していないが、リセットボタンが設けられている。制御装置１２４−Ａ１は、リセットボタン操作検出回路（図示省略）からリセットボタンが操作されたことを示すリセットボタン操作検出信号が送信されると、ランプ１２１−Ａ１を消灯する。
呼出表示装置用表示器（表示器）１２３−Ａ１〜１２３−Ａｍ、１２１−Ｂ１〜１２３Ｂｎが本発明の「遊技機に対応して設けられている表示器」に対応し、呼出表示制御装置（制御装置）１２４−Ａ１〜１２４−Ａｍ、１２４−Ｂ１〜１２４−Ｂｎが本発明の「表示器に対応して設けられている表示制御装置」に対応し、呼出表示装置用記憶装置（表示用記憶装置）１２５−Ａ１〜１２５−Ａｍ、１２５−Ｂ１〜１２５−Ｂｎが本発明の「表示制御装置がアクセス可能であり、表示器情報を記憶する表示制御装置用記憶装置」に対応する。
【００１７】
遊技場Ａに設けられている呼出表示装置１２０−Ａ１〜１２０−Ａｍの制御装置１２４−Ａ１〜１２４−Ａｍは、遊技場Ａ内のＬＡＮ等の通信回線１３０−Ａを介して中継装置１４０−Ａと通信可能である。すなわち、中継装置１４０−Ａは、遊技場Ａに対応して設けられている。また、中継装置１４０−Ａがアクセス可能な中継装置用記憶装置１４１−Ａが設けられている。
遊技場Ｂに設けられている呼出表示装置１２０−Ｂ１〜１２０−Ｂｎの制御装置１２４−Ｂ１〜１２４−Ｂｎは、遊技場Ｂ内のＬＡＮ等の通信回線１３０−Ｂを介して中継装置１４０−Ｂと通信可能である。すなわち、中継装置１４０−Ｂは、遊技場Ｂに対応して設けられている。また、中継装置１４０−Ｂがアクセス可能な中継装置用記憶装置１４１−Ｂが設けられている。
【００１８】
中継装置用記憶装置１４１−Ａと１４１−Ｂは同じ構成であるため、中継装置用記憶装置１４１−Ａの構成について説明する。中継装置用記憶装置１４１−Ａは、変換情報データベース１４１−Ａａと表示器情報データベース１４１−Ａｂを有している。
変換情報データベース１４１−Ａａには、表示情報管理装置１６０から送信される、表示情報を示す第１の情報を、中継装置１４０−Ａと通信可能な制御装置１２４−Ａ１〜１２４−Ａｍによって制御される表示器１２３−Ａ１〜１２３−Ａｍの仕様に対応する第２の情報に変換するための変換情報が記憶されている。
例えば、キャラクタ情報「大」、「当」、「り」により形成されるメッセージ情報「大当り」を表示器に表示する場合には、キャラクタ情報「大」、「当」、「り」を示すキャラクタコードが第１の情報として表示情報管理装置１６０から送信される。また、任意のドット情報により形成される画像情報を表示器に表示する場合には、当該画像情報を形成する任意のドット情報が第１の情報として表示情報管理装置１６０か送信される。ここで、表示用記憶装置１２５−Ａ１〜１２５−Ａｍに、キャラクタコードに対応させて各表示器に仕様に対応するドット情報（キャラクタドット情報）が記憶されていない場合や、任意のドット情報を各表示器の仕様に対応するドット情報に変換する変換式や変換方法が記憶されていない場合には、表示情報管理装置１６０から送信された第１の情報で示される表示情報を表示器１２３−Ａ１〜１１２３−Ａｍに表示することができない。このため、変換情報データベース１４１−Ａａに記憶する変換情報としては、表示情報であるメッセージ情報を形成するキャラクタ情報を示すキャラクタコードに対応する、各表示器の仕様毎のドット情報（キャラクタドット情報）が用いられる。あるいは、表示情報である任意のドット情報により形成される画像情報を、各表示器の仕様に対応するドット情報に変換する変換式や変換方法が用いられる。第２の情報としては、各表示器の仕様に対応するドット情報が用いられる。
例えば、メッセージ情報「大当り」を総ドット数が［１５ドット（ａ〜ｏ）×３０ドット（１〜３０）＝４５０ドット］の表示器に表示する場合には、図３に示すドット情報が作成される。一方、総ドット数が［１５ドット（ａ〜ｏ）×３０ドット（１〜３０）＝４５０ドット］の表示器に表示する場合には、図４に示すドット情報が作成される。なお、画像情報「大当り」を表示する場合にも、同様に、図３や図４に示すようなドット情報が作成される。なお、ドット情報を形成する各ドットの情報は、白黒表示の場合には明るさを示し、カラー表示の場合にはＲＧＢそれぞれの明るさを示す。
変換情報データベース１４１−Ａａの一例を図２に示す、図２に示す変換情報データベース１４１−Ａａには、表示器１２３−Ａ１〜１２３−Ａｍの仕様Ｓ１、Ｓ２、Ｓ３毎に、キャラクタ情報を示すキャラクタコードＤ１、Ｄ２に対応するドット情報（キャラクタドット情報）、任意のドット情報を各仕様Ｓ１、Ｓ２、Ｓ３に対応するドット情報に変換する変換式や変換方法が記憶されている。変換情報を変換情報データベース１４１−Ａａに記憶する態様は、これに限定されない。
表示器情報データベース１４１−Ａｂには、中継装置１４０−Ａと通信可能な制御装置１２４−Ａ１〜１２４−Ａｍによって制御される表示器１２３−Ａ１〜１２３−Ａｍの仕様を示す変換情報が記憶されている。
表示器情報データベース１４１−Ａｂの一例を図５に示す。図５に示す表示器情報データベース１４１−Ａｂには、表示器１２３−Ａ１〜１２３−Ａｍを示す表示器識別情報に対応させて各表示器の仕様Ｓ１、Ｓ２、Ｓ３が記憶されている。図５では、表示器識別情報として、各表示器に対応する遊技機の遊技場内での配置位置を示す台番号が用いられている。表示器情報を表示器情報データベース１４１−Ａｂに記憶する方法はこれに限定されない。例えば、表示器の仕様に対応させて、当該仕様の表示器を示す表示器識別情報（例えば、台番号）を記憶する態様を用いることもできる。
【００１９】
中継装置１４０−Ａは、ＣＰＵ（処理装置）により構成され、中継装置用記憶装置１４１−Ａの変換情報データベース１４１−Ａａに記憶されている変換情報と、表示器情報データベース１４１−Ａｂに記憶されている表示器情報に基づいて、表示情報管理装置１６０から送信される。表示情報を示す第１の情報を、中継装置１４０−Ａと通信可能な制御装置１２４−Ａ１〜１２４−Ａｍによって制御される表示器１２３−Ａ１〜１２３−Ａｍの仕様に対応する第２の情報（ドット情報）に変換する。
中継装置１４０−Ａ、１４０Ｂが本発明の「中継装置」に対応し、中継装置用記憶装置１４１−Ａ、１４１−Ｂが本発明の「中継装置がアクセス可能であり、変換情報、表示器情報、遊技機情報、中継用遊技情報を記憶する中継装置用記憶装置」に対応する。
【００２０】
表示情報管理装置１６０は、インターネット回線等の通信回線１５０を介して、遊技場Ａ、Ｂに設けられている中継装置１４０−Ａ、１４０Ｂと通信可能に設けられている。また、表示情報管理装置１６０がアクセス可能な管理装置用記憶装置１６１が設けられている。
管理装置用記憶装置１６１は、表示情報データベース１６１ａを有している。表示情報データベース１６１ａには、表示情報管理装置１６１から送信する表示情報等が記憶されている。表示情報データベース１６１ａの一例を図６に示す。図６に示す表示情報データベース１６１ａには、表示情報を示す表示情報識別情報Ｈ１、Ｈ２に対応させて、表示情報が記憶されている。表示情報は、キャラクタタコードやドット情報により形成される第１の情報として送信される。図６には示されていないが、表示情報の送信時期や、送信情報の引用先（例えば、Ｗｅｂページのアドレス情報）や、表示情報の送信先（例えば、表示情報を表示する表示器の仕様を示す表示器情報、表示情報を表示する表示器に対応する遊技機の機種を示す機種識別情報または遊技機を示す遊技機識別情報）を記憶することもできる。表示情報を表示する表示器に対応する遊技機の機種や遊技機を指定する場合には、中継装置１４０−Ａ、１４０−Ｂの中継装置用記憶装置１４１−Ａ、１４１−Ｂに関連する情報（例えば、機種識別情報または遊技機識別情報と制御装置１２４−Ａ１〜１２４−Ａｍ、１２４−Ｂ１〜１２４−Ｂｎや表示器１２３−Ａ１〜１２３−Ａｍ、１２３−Ｂ１〜１２３−Ｂｎとの対応関係を示すデータベース）を記憶する。なお、表示情報管理装置１６０は、後述する集計遊技情報に基づいて遊技情報を集計処理し、集計結果を挿入した表示情報を示す第１の情報を送信することもできる。
表示情報管理装置１６１が本発明の「管理装置」に対応し、管理装置用記憶装置１６１が本発明の「管理装置がアクセス可能であり、表示情報、変換情報、管理用遊技情報を記憶する管理装置用記憶装置」に対応する。
【００２１】
次に、第１の実施の形態の動作を説明する。なお、以下では、表示情報管理装置１６０、中継装置１４０−Ａ、制御装置１２４−Ａ１、表示器１２３−Ａ１の動作を中心に説明する。
表示情報管理装置１６０は、表示情報を示す第１の情報（メッセージ情報を形成するキャラクタコード、画像情報を示すドット情報）を通信回線１５０に送信する。
中継装置１４０−Ａは、表示情報管理装置１６０から、表示情報を示す第１の情報が送信されると、当該第１の情報を、中継装置１４０−Ａと通信可能な制御装置１２４−Ａ１〜１２４−Ａｍによって制御される表示器１２３−Ａ１〜１２３−Ａｍの仕様に対応する第２の情報（ドット情報）に変換し、通信回線１３０−Ａを介して、表示器１２３−Ａ１〜１２３−Ａｍを制御する制御装置１２４−Ａ１〜１２４−Ａｍに送信する。
例えば、表示器情報データベース１４１−Ａｂに記憶されている表示器情報に基づいて、制御装置１２４−Ａ１によって制御される表示器１２３−Ａ１の仕様を判別する。次に、判別した表示器１２３−Ａ１の仕様と、変換情報データベース１４１−Ａａに記憶されている変換情報に基づいて、第１の情報を表示器１２３−Ａ１の仕様に対応する第２の情報に変換する変換情報を判別する。次に、判別した変換情報に基づいて、表示情報管理装置１６０から送信された第１の情報を表示器１２３−Ａ１の仕様に対応する第２の情報（表示器１２３−Ａ１の仕様に対応するドット情報）に変換する。そして、表示器１２３−Ａ１の仕様に対応する第２の情報を、表示器１２３−Ａ１を制御する制御装置１２４−Ａ１に送信する。制御装置１２４−ａ１は、中継装置１４０−ａから送信された第２の情報に基づいて、表示器１２３−Ａ１を制御する。これにより、表示情報管理装置１６０によって指示された表示情報が、遊技機１１０−Ａ１に対応する呼出表示装置１２０−Ａ１の表示器１２３−Ａ１に表示される。
同様にして、他の表示器１２３−Ａｍ、１２３−Ｂ１〜１２３−ｂｎに、表示情報管理装置から指示された表示情報が表示される。
【００２２】
表示情報管理装置１６０から指示する表示情報としては、表示情報データベース１６１ａに記憶されている表示情報、他から得た表示情報（例えば、他のＷｅｂサイトに掲載されている表示情報）、表示情報管理装置１６０が作成した表示情報等種々の情報を用いることができる。
表示情報管理装置１６０から、表示情報を示す第１の情報を送信する時期は、表示情報データベース１６１ａに記憶されている、表示情報に対応する送信時期に達した時点、所定の時間間隔、中継装置１４０−Ａ、１４０−Ｂや制御装置１２４−Ａ１〜１２４−Ａｍ、１２４−Ｂ１〜１２４−Ｂｎから表示情報の送信要求信号が送信された時点等適宜の時期に設定することができる。
中継装置１４０−Ａ、１４０−Ｂから第２の情報を送信する制御装置１２４−Ａ１〜１２４−Ａｍ、１２４−Ｂ１〜１２４−Ｂｎを選択することができる。例えば、表示情報管理装置１６０から第１の情報と送信指定情報を送信し、この送信指定情報で指定された制御装置１２４−Ａ１〜１２４−Ａｍ、１２４−Ｂ１〜１２４−Ｂｎに第２の情報を送信するように構成することができる。送信指定情報としては、表示器の仕様を示す表示器情報や遊技機を示す遊技機情報を用いることができる。遊技機情報としては、例えば、遊技機の機種を示す機種情報、遊技機を示す遊技機識別情報（遊技場、台番号）を用いることができる。この場合、中継装置１４０−Ａ、１４０−Ｂは、表示器１２４−Ａ１〜１２３−Ａｍ、１２３−Ｂ１〜１２３−Ｂｎの中から、送信指定情報で示される仕様の表示器を表示器情報データベース１４１−Ａｂに記憶されている表示器情報に基づいて判別し、判別した表示器１２４−Ａ１〜１２３−Ａｍ、１２３−Ｂ１〜１２３−Ｂｎを制御する制御装置１２４−Ａ１〜１２４−Ａｍ、１２４−Ｂ１〜１２４−Ｂｎに第２の情報を送信する。あるいは、中継装置用記憶装置１４１−Ａ、１４１−Ｂに遊技機１１０−Ａ１〜１１０−Ａｍ、１１０−Ｂ１〜１１０−Ｂｎの遊技機情報を記憶する遊技機情報データベースを設け、遊技機１１０−Ａ１〜１１０−Ａｍ、１１０−Ｂ１〜１１０−Ｂｎの中から、送信指定情報で示される遊技機（例えば、遊技場Ａ及びＢの、あるいは、遊技場ＡまたはＢの、同じ機種の遊技機、指定された台番号の遊技機）を判別し、判別した遊技機１１０−Ａ１〜１１０−Ａｍ、１１０−Ｂ１〜１１０−Ｂｎに対応する表示器１２３−Ａ１〜１２３−Ａｍ、１２３−Ｂ１〜１２３−Ｂｎに第２の情報を送信する。
中継装置１４０−Ａ、１４０−Ｂから第２の情報を送信する制御装置１２３−Ａ１〜１２３−Ａｍ、１２３−ｂ１〜１２３−Ｂｎを決定する方法はこれに限定されない。
【００２３】
以上のように、本実施の形態では、中継装置１４０−Ａ、１４０−Ｂがアクセス可能な中継装置用記憶装置１４１−Ａ、１４１−Ｂに、情報管理装置から送信される第１の情報を各表示器１２３−Ａ１〜１２３−Ａｍ、１２３−Ｂ１〜１２３−Ｂｎの仕様に対応する第２の情報に変換する変換情報、各表示器１２３−Ａ１〜１２３−Ａｍ、１２３−Ｂ１〜１２３−Ｂｎの仕様を示す表示器情報を記憶している。そして、中継装置１４０−Ａ、１４０−Ｂは、表示情報管理装置１６０から送信される、表示情報を示す第１の情報を、表示器１２３−Ａ１〜１２３−Ａｍ、１２３−Ｂ１〜１２３−Ｂｎの仕様に対応する第２の情報に変換し、変換した第２の情報を、表示器１２３−Ａ１〜１２３−Ａｍ、１２３−Ｂ１〜１２３−Ｂｎを制御する制御装置１２４−Ａ１〜１２４−Ａｍ、１２４−Ｂ１〜１２４−Ｂｎに送信する。
これにより、第１の情報を第２の情報に変換する処理を制御装置２２４−Ａ１〜２２４−Ａｍ、２２４−Ｂ１〜２２４−Ｂｎそれぞれで行う必要がないため、表示器１２３−Ａ１〜１２３−Ａｍ、１２３−Ｂ１〜１２３−Ｂｎ（呼出表示装置２２０−Ａ１〜２２０−Ａｍ、２２０−Ｂ１〜２２０−Ｂｎ）のコストアップを抑制することができる。
また、表示情報管理装置１６０は、表示器１２３−Ａ１〜１２３−Ａｍ、１２３−Ｂ１〜１２３−Ｂｎの仕様に関係なく表示情報を設定することができるため、安価に、種々の情報を表示器１２３−Ａ１〜１２３−Ａｍ、１２３−Ｂ１〜１２３−Ｂｎに表示することができる。すなわち、安価に種々の表示情報を遊技者等に提供することができる。
また、各遊技場に対して表示情報管理装置１６０を兼用して用いることができるため、コストアップを抑制することができる。
また、表示器の交換や新設に対して容易に対応することができる。例えば、変換情報データベース１４１−Ａａに記憶されている変換情報に対応する仕様の表示器への交換や新設に対しては、表示器情報データベースの１４１−Ａｂの修正や中継装置を設けることによって対応することができる。変換情報データベース１４１−Ａｂに記憶されている変換情報に対応する仕様と異なる仕様の表示器への交換や新設に対しては、変換情報データベース１４１−Ａａ及び表示器情報データベースの１４１−Ａｂの修正や中継装置を設けることによって対応することができる。
【００２４】
第１の実施の形態では、第２の情報を送信する呼出表示制御装置（制御装置）を中継装置によって決定したが、呼出表示制御装置（制御装置）側で第２の情報を選択受信するように構成することもできる。
制御装置が第２の情報を選択受信する、本発明の第２の実施の形態を、図７を参照して説明する。
本実施の形態は、呼出表示装置用記憶装置（表示用記憶装置）は、表示器情報を記憶し、中継装置用記憶装置は、変換情報データベースを有しているが、表示器情報データベースを有していない点が第１の実施の形態と異なっている。したがって、以下では、第１の実施の形態と異なる構成について説明し、第１の実施の形態と同じ構成の説明は省略する。なお、図７で示されている構成要素のうち、図１に示されている構成要素の符号の３桁目の数字「１」が「２」に変更されている符号が付されている構成要素が、図１に示されている構成要素と同等物である。
表示装置用記憶装置２２５−Ａ１〜２２５−Ａｍ、２２５−Ｂ１〜２２５−Ｂｎには、当該表示装置用記憶装置２２５−Ａ１にアクセス可能な制御装置２２４−Ａ１によって制御される表示器２２３−Ａ１（遊技機２１０−Ａ１に対応する呼出表示装置２２０−Ａ１の表示器２２３−Ａ１）の仕様を示す表示器情報２２５−Ａ１ａが記憶されている。表示器情報としては、前記した表示器情報を用いることができる。
中継装置用記憶装置２４１−Ａの変換情報データベース２４１−Ａａとしては、図１にし示した第１の実施の形態の変換情報データベース１４１−Ａａと同様の構成のものを用いることができる。
【００２５】
次に、第２の実施の形態の動作を説明する。なお、以下では、表示情報管理装置２６０、中継装置２４０−Ａ、制御装置２２４−Ａ１、表示用記憶装置２２５−Ａ１、表示器２２３−Ａ１の動作を中心に説明する。
表示情報管理装置２６０は、表示情報を示す第１の情報を通信回線２５０に送信する。表示情報管理装置２６０から送信する、表示情報を示す第１の情報の内容や送信時期等については第１の実施の形態と同様である。
中継装置２４０−Ａは、表示情報管理装置２６０から送信された第１の情報を表示器２２３−Ａ１〜２２３−Ａｍの仕様に対応する第２の情報（ドット情報）に変換し、変換した第２の情報と当該第２の情報に対応する表示器の仕様を示す表示器情報を組み合わせて通信回線２３０−Ａに送信する。例えば、変換情報データベース２４１−Ａａに記憶されている変換情報に基づいて、表示情報管理装置２６０から送信された第１の情報を、中継装置２４０−Ａと通信可能な制御装置２２４−Ａ１〜２２４−Ａｍによって制御される表示器２２３−Ａ１〜２２３−Ａｍそれぞれの仕様に対応する第２の情報に変換し、変換した第２の情報と、当該第２の情報に対応する表示器の仕様を示す表示器情報を組み合わせて通信回線２３０−Ａに送信する。第２の情報と表示器情報を組み合わせて送信する態様としては、制御装置２２４−Ａ１〜２２４−Ａｍが、中継装置から送信された第２の情報と表示器情報の組み合わせを判別可能な種々の態様を用いることができる。
制御装置２２４−Ａ１は、中継装置２４０−Ａから送信された表示器情報で示される仕様が、当該制御装置２２４−Ａ１によってアクセス可能な表示用記憶装置２２５−Ａ１に記憶されている表示器情報で示される仕様と一致する場合に、当該表示器情報と組み合わせて送信された第２の情報を選択受信し、選択受信した第２の情報に基づいて、表示器２２３−Ａ１を制御する。これにより、表示情報管理装置２６０によって指示された表示情報が、遊技機２１０−Ａ１に対応する呼出表示装置２２０−Ａ１の表示器２２３−Ａ１に表示される。
同様にして、他の表示器２２３−Ａｍ、２２３−Ｂ１〜２２３−ｂｎに、表示情報管理装置２６０から指示された表示情報が表示される。
【００２６】
中継装置２４０−Ａ、２４０−Ｂから送信される第２の情報と表示器情報の組み合わせは選択することができる。例えば、表示情報管理装置２６０から第１の情報と送信指定情報を送信し、この送信指定情報で指定された制御装置２２４−Ａ１〜２２４−Ａｍ、２２４−Ｂ１〜２２４−Ｂｎに第２の情報と表示器情報の組み合わせを送信するように構成することができる。送信指定情報としては、表示器の仕様を示す表示器情報や遊技機を示す遊技機情報を用いることができる。この場合、中継装置２４０−Ａ、２４０−Ｂは、変換情報データベース２４１−Ａａに記憶されている変換情報の中から、送信指定情報で示される表示器の仕様に対応する変換情報を選択し、選択した変換情報に基づいて、第１の情報を第２の情報に変換し、第２の情報と表示器情報の組み合わせを送信する。あるいは、中継装置用記憶装置２４１−Ａ、２４１−Ｂに遊技機２１０−Ａ１〜２１０−Ａｍ、２１０−Ｂ１〜２１０−Ｂｎの遊技機情報を記憶する遊技機情報データベースを設け、遊技機２１０−Ａ１〜２１０−Ａｍ、２１０−Ｂ１〜２１０−Ｂｎの中から、送信指定情報で示される遊技機（例えば、遊技場Ａ及びＢの、あるいは、遊技場ＡまたはＢの、同じ機種の遊技機、指定された台番号の遊技機）を選択し、選択した遊技機２１０−Ａ１〜２１０−Ａｍ、２１０−Ｂ１〜２１０−Ｂｎに対応する表示器２２３−Ａ１〜２２３−Ａｍ、２２３−Ｂ１〜２２３−Ｂｎの仕様に対応する変換情報に基づいて、第１の情報を第２の情報に変換し、変換した第２の情報と変換器情報を送信する。
中継装置２４０−Ａ、２４０−Ｂから第２の情報と変換器情報の組み合わせを送信する態様はこれに限定されない。
【００２７】
以上のように、本実施の形態では、中継装置１４０−Ａ、１４０−Ｂがアクセス可能な中継装置用記憶装置２４１−Ａ、２４１−Ｂに、情報管理装置から送信される第１の情報を各表示器２２３−Ａ１〜２２３−Ａｍ、２２３−Ｂ１〜２２３−Ｂｎの仕様に対応する第２の情報に変換する変換情報を記憶し、各表示器２２３−Ａ１〜２２３−Ａｍ、２２３−Ｂ１〜２２３−Ｂｎを制御する制御装置２２４−Ａ１〜２２４−Ａｍ、２２４−Ｂ１〜２２４−Ｂｎがアクセス可能な表示装置用記憶装置に、各表示器２２３−Ａ１〜２２３−Ａｍ、２２３−Ｂ１〜２２３−Ｂｎの仕様を示す表示器情報を記憶している。そして、中継装置２４０−Ａ、２４０−Ｂは、表示情報管理装置２６０から送信される第１の情報を、表示器２２３−Ａ１〜２２３−Ａｍ、２２３−Ｂ１〜２２３−Ｂｎの仕様に対応する第２の情報に変換し、変換した第２の情報と当該第２の情報に対応する表示器の仕様を示す表示器情報を組み合わせて送信する。また、制御装置１２４−Ａ１〜１２４−Ａｍ、１２４−Ｂ１〜１２４−Ｂｎは、中継装置２４０−Ａ、２４０−Ｂから送信された表示器情報が表示用記憶装置２２５−Ａ１〜２２５−Ａｍ、２２５−Ｂ１〜２２５−Ｂｎに記憶されている表示器情報と一致する場合に、当該表示器譲歩と組み合わせて送信された第２の情報に基づいて表示器２２５−Ａ１〜２２５−Ａｍ、２２５−Ｂ１〜２２５−Ｂｎに送信する。
これにより、第１の情報を第２の情報に変換する処理を制御装置２２４−Ａ１〜２２４−Ａｍ、２２４−Ｂ１〜２２４−Ｂｎそれぞれで行う必要がないため、表示器２２３−Ａ１〜２２３−Ａｍ、２２３−Ｂ１〜２２３−Ｂｎ（呼出表示装置２２０−Ａ１〜２２０−Ａｍ、２２０−Ｂ１〜２２０−Ｂｎ）のコストアップを抑制することができる。
また、表示情報管理装置２６０は、表示器２２３−Ａ１〜２２３−Ａｍ、２２３−Ｂ１〜２２３−Ｂｎの仕様に関係なく表示情報を設定することができるため、安価に、種々の情報を表示器２２３−Ａ１〜２２３−Ａｍ、２２３−Ｂ１〜２２３−Ｂｎに表示させる、すなわち、種々の表示情報を遊技者に提供することができる。
また、各遊技場に対して表示情報管理装置２６０を兼用して用いることができるため、コストアップを抑制することができる。
また、表示器の交換や新設に対して容易に対応することができる。例えば、変換情報データベース２４１−Ａａに記憶されている変換情報に対応する仕様の表示器への交換や新設に対しては、表示用記憶装置２２５−Ａ１〜２２５−Ａｍ、２２５−Ｂ１〜２２５−Ｂｎへの変換器情報の記憶や中継装置を設けることによって対応することができる。変換情報データベース２４１−Ａａに記憶されている変換情報に対応する仕様と異なる仕様の表示器への交換や新設に対しては、変換情報データベース２４１−Ａａの修正、表示用記憶装置２２５−Ａ１〜２２５−Ａｍ、２２５−Ｂ１〜２２５−Ｂｎへの変換器情報の記憶や中継装置を設けることによって対応することができる。
【００２８】
第１及び第２の実施の形態では、表示情報を示す第１の情報を表示器の仕様に対応する第２の情報に変換する処理を中継装置で行ったが、第１の情報を第２の情報に変換する処理を表示情報管理装置で行うように構成することもできる。
第１の情報を第２の情報に変換する処理を表示情報管理装置で行う、本発明の第３の実施の形態を、図８を参照して説明する。
本実施の形態は、表示情報管理装置は、アクセス可能な管理装置用記憶装置が変換情報データベースを有し、中継装置用記憶装置は、表示器情報データベースを有しているが、変換情報データベースを有していない点が第１の実施の形態と異なっている。したがって、以下では、第１の実施の形態と異なる構成について説明し、第１の実施の形態と同じ構成の説明は省略する。なお、図８で示されている構成要素のうち、図１に示されている構成要素の符号の３桁目の数字「１」が「３」に変更されている符号が付されている構成要素が、図１に示されている構成要素と同等物である。
中継装置３４０−Ａ、３４０−Ｂがアクセス可能な中継装置用記憶装置３４１−Ａ、３４２−Ｂには、中継装置３４０−Ａ、３４０−Ｂと通信可能な制御装置３２４−Ａ１〜３２４−Ａｍ、３２４−Ｂ１〜３２４−Ｂｎによって制御される表示器３２３−Ａ１〜３２３−Ａｍ、３２３−Ｂ１〜３２３−Ｂｎの仕様を示す表示器情報３４１−Ａ１ａが記憶されている表示器情報データベース３４１−Ａａを有している。表示器情報データベース３４１−Ａａとしては、図１に示した第１の実施の形態の表示器情報データベース１４１−Ａｂと同様の構成のものを用いることができる。
表示情報管理装置３６０がアクセス可能な管理装置用記憶装置は、表示情報データベース３６１ａ、表示情報を示す第１の情報を表示器の仕様に対応する第２の情報に変換する変換情報が記憶されている変換情報データベース３６１ｂを有している。表示情報データベース３６１ａとしては、図１に示した表示情報データベース１６１ａと同様の構成のものを用いることができる。また、変換情報データベース３６１ｂとしては、図１に示した第１の実施の形態の変換情報データベース１４１−Ａａと同様の構成のものを用いることができる。
【００２９】
次に、第３の実施の形態の動作を説明する。なお、以下では、表示情報管理装置３６０、中継装置３４０−Ａ、制御装置３２４−Ａ１、表示器３２３−Ａ１の動作を中心に説明する。
表示情報管理装置３６０は、表示情報を示す第１の情報を表示器の仕様に対応する第２の情報に変換し、変換した第２の情報と当該第２の情報に対応する変換器の仕様を示す表示器情報を組み合わせて通信回線２５０に送信する。表示情報を示す第１の情報の内容や送信時期等については第１の実施の形態と同様である。第１の情報を第２の情報に変換する処理は、第１の実施の形態と同様に、変換情報データベース３６１ｂに記憶されている変換情報に基づいて行われる。第２の情報と変換器情報を組み合わせて送信する態様としては、中継装置３４０−Ａ、３４０−Ｂが、表示情報管理装置３６０から送信された第２の情報と表示器情報の組み合わせを判別することができる種々の態様を用いることができる。
表示情報管理装置３６０から送信される第２の情報と表示器情報の組み合わせは選択することができる。例えば、表示情報データベース３６１ａに、表示情報に対応させて送信指定情報を記憶させておき、表示情報データベース３６１ａに記憶されている表示情報を示す第１の情報を第２の情報に変換して送信する際に、当該表示情報に対応して記憶されている送信先指定情報で指定される送信先に送信する。例えば、送信先指定情報として、表示器の仕様を示す表示器情報が記憶されている場合には、変換情報データベース３６１ｂに記憶されている変換情報の中から、当該表示情報に対応して記憶されている表示器情報で示される表示器の仕様に対応する変換情報を選択し、選択した変換情報に基づいて、第１の情報を第２の情報に変換する。あるいは、管理装置用記憶装置３６１に遊技機３１０−Ａ１〜３１０−Ａｍ、３１０−Ｂ１〜３１０−Ｂｎの遊技機情報を記憶する遊技機情報データベースを設けるとともに、送信先指定情報として遊技機情報を記憶させる。この場合、表示情報管理装置３６０は、遊技機３１０−Ａ１〜３１０−Ａｍ、３１０−Ｂ１〜２１０−Ｂｎの中から、送信指定情報で示される遊技機（例えば、遊技場Ａ及びＢの、あるいは、遊技場ＡまたはＢの、同じ機種の遊技機、指定された台番号の遊技機）を選択し、選択した遊技機３１０−Ａ１〜３１０−Ａｍ、３１０−Ｂ１〜３１０−Ｂｎに対応する表示器３２３−Ａ１〜３２３−Ａｍ、３２３−Ｂ１〜３２３−Ｂｎの仕様に対応する変換情報に基づいて、第１の情報を第２の情報に変換し、変換した第２の情報と変換器情報を送信する。
【００３０】
中継装置３４０−Ａは、表示情報管理装置３６０から送信された変換器情報が、中継装置３４０−Ａがアクセス可能な中継装置用記憶装置３４１−Ａの表示器情報データベース３４１−Ａａに記憶されている変換器情報と一致する場合に、当該変換器情報と組み合わされて送信された第２の情報を制御装置３２４−Ａ１〜３２４−Ａｍに送信する。すなわち、変換器情報データベース３４１−Ａａに記憶されている変換器情報に基づいて、表示情報管理装置３６０から送信された表示器情報と一致する表示器情報が記憶されている表示器３２４−Ａ１〜３２４−Ａｍを制御する制御装置３２４−Ａ１〜３２４−Ａｍを判別する。表示器３２４−Ａ１〜３２４−Ａｍを制御する制御装置３２４−Ａ１〜３２４−Ａｍを判別する方法としては、例えば、表示器識別情報として用いられている台番号に基づいて判別する方法を用いることができる。
制御装置３２４−Ａ１は、中継装置３４０−Ａから送信された第２の情報に基づいて表示器３２３−Ａ１を制御する。これにより、表示情報管理装置３６０によって指示された表示情報が、遊技機３１０−Ａ１に対応する呼出表示装置３２０−Ａ１の表示器３２３−Ａ１に表示される。
同様にして、他の表示器３２３−Ａｍ、３２３−Ｂ１〜３２３−ｂｎに、表示情報管理装置３６０から指示された表示情報が表示される。
【００３１】
ここで、中継装置３４０−Ａ、３４０−Ｂから第２の情報を送信する制御装置３２４−Ａ１〜３２４−Ａｍ、３２４−Ｂ１〜３２４−Ｂｎを選択することができる。例えば、表示情報管理装置３６０から第１の情報、表示器情報と送信指定情報を組み合わせて送信し、中継装置３４０−Ａ、３４０−Ｂは、送信指定情報で指定された制御装置２２４−Ａ１〜２２４−Ａｍ、２２４−Ｂ１〜２２４−Ｂｎに第２の情報を送信するように構成することができる。送信指定情報としては、遊技機を示す遊技機情報を用いることができる。この場合、中継装置３４０−Ａは、表示情報管理装置３６０から送信された表示器情報と一致する表示器情報が表示器情報データベースベース３４１−Ａａに記憶されている表示器であって、送信指定情報で示される遊技機情報と一致する遊技機３１０−ａ１〜３１０−Ａｍ（例えば、指定された機種の遊技機）に対応する表示器３２３−Ａ１〜３２３−Ａｍを制御する制御装置３２４−Ａ１〜３２４−Ａｍに、表示器情報と組み合わされて送信された第２の情報を送信する。
中継装置３４０−Ａ、３４０−Ｂから第２の情報を送信する制御装置３２４−Ａ１〜３２４−Ａｍ、３２４−Ｂ１〜３２４−Ｂｎを選択する態様はこれに限定されない。
【００３２】
以上のように、本実施の形態では、中継装置３４０−Ａ、３４０−Ｂがアクセス可能な中継装置用記憶装置３４１−Ａ、３４１−Ｂに、中継装置３４０−Ａ、３４０−Ｂと通信可能な制御装置３２４−Ａ１〜３２４−Ａｍ、３２４−Ｂ１〜３２４−Ｂｎによって制御される表示器３２３−Ａ１〜３２３−ＡＺｍ、３２４−Ｂ１〜３２４−Ｂｎの仕様を示す表示器情報を記憶し、表示情報管理装置３６０がアクセス可能な管理装置用記憶装置３６１に、表示情報を示す第１の情報を各表示器３２３−Ａ１〜３２３−Ａｍ、３２３−Ｂ１〜３２３−Ｂｎの仕様に対応する第２の情報に変換する変換情報を記憶している。そして、表示情報管理装置３６０は、各表示器３２３−Ａ１〜３２３−Ａｍ、３２３−Ｂ１〜３２３−Ｂｎの仕様に対応する第２の情報と、当該第２の情報に対応する表示器の仕様を示す表示器情報を組み合わせて送信し、中継装置３４０−Ａ、３４０−Ｂは、表示情報管理装置３６０から送信された表示器情報が、中継装置用記憶装置３４１−Ａ、３４１−Ｂに記憶されている表示器情報と一致する場合に、当該表示器情報と組み合わせて送信された第２の情報を、当該表示器情報で示される仕様の表示器を制御する制御装置３２４−Ａ１〜３２４−Ａｍ、３２４−Ｂ１〜３２４−Ｂｎに送信する。
これにより、第１の情報を第２の情報に変換する処理を制御装置３２４−Ａ１〜３２４−Ａｍ、３２４−Ｂ１〜３２４−Ｂｎそれぞれで行う必要がないため、表示器３２３−Ａ１〜３２３−Ａｍ、３２３−Ｂ１〜３２３−Ｂｎ（呼出表示装置３２０−Ａ１〜３２０−Ａｍ、３２０−Ｂ１〜３２０−Ｂｎ）のコストアップを抑制することができる。
また、表示情報管理装置３６０は、表示器３２３−Ａ１〜３２３−Ａｍ、３２３−Ｂ１〜３２３−Ｂｎの仕様に関係なく表示情報を設定することができるため、安価に、種々の情報を表示器３２３−Ａ１〜３２３−Ａｍ、３２３−Ｂ１〜３２３−Ｂｎに表示させる、すなわち、種々の表示情報を遊技者に提供することができる。
また、各遊技場に対して表示情報管理装置３６０を兼用して用いることができるため、コストアップを抑制することができる。
また、表示器の交換や新設に対して容易に対応することができる。例えば、変換情報データベース３６１ｂに記憶されている変換情報に対応する仕様の表示器への交換や新設に対しては、表示器情報データベース３４１−Ａａの修正や中継装置を設けることによって対応することができる。変換情報データベース３６１ｂに記憶されている変換情報に対応する仕様と異なる仕様の表示器への交換や新設に対しては、変換情報データベース３６１ｂ及び表示器情報データベース３４１−Ａａの修正や中継装置を設けることによって対応することができる。
【００３３】
第３の実施の形態では、第２の情報を送信する制御装置３２４−Ａ１〜３２４−Ａｍ、３２４−Ｂ１〜３２４−Ｂｎを中継装置３４０−Ａ、３４０−Ｂによって決定したが、第２の実施の形態のように、制御装置３２４−Ａ１〜３２４−Ａｍ、３２４−Ｂ１〜３２４−Ｂｎ側で第２の情報を選択受信するように構成することもできる。
すなわち、表示情報管理装置から表示器の仕様に対応する第２の情報と当該第２の情報に対応する表示器の仕様を示す表示器情報を組み合わせて送信し、中継装置は、表示情報管理装置から送信された第２の情報と表示器情報の組み合わせを中継し、制御装置は、表示情報管理装置から送信された表示器情報で示される表示器の仕様が、表示用記憶装置によって制御される表示器の仕様と一致する場合に、当該表示器情報と組み合わされて送信された第２の情報に基づいて表示器を制御するように構成することができる。
この場合、図８に示されている、中継装置用記憶装置３４１−Ａの表示器情報データベース３４１−Ａａが省略され、また、図７に示した第２の実施の形態のように、表示用記憶装置３２５−Ａ１〜３２５−Ａｍ、３２５−Ｂ１〜３２５−Ｂｎに、制御装置３２４−Ａ１〜３２４−Ａｍ、３２４−Ｂ１〜３２４−Ｂｎによって制御される表示器３２３−Ａ１〜３２３−Ａｍ、３２３−Ｂ１〜３２３−Ｂｎの使用を示す表示器情報が記憶される。
表示情報管理装置３６０から送信された第２の情報と表示器情報の」組み合わせに基づいて、制御装置３２４−Ａ１〜３２４−Ａｍ、３２４−Ｂ１〜３２４−Ｂｎが表示器３２３−Ａ１〜３２３−Ａｍ、３２３−Ｂ１〜３２３−Ｂｎを制御する動作は、第２の実施の形態と同様である。
なお、本実施の形態では、中継装置３４０−Ａ、３４−Ｂを省略することもできる。すなわち、表示情報管理装置３６０と呼出表示装置３２−Ａ１〜３２０Ａｍ、３２０−Ｂ１〜３２０Ｂｎにより構成することができる。
本実施の形態では、第２の実施の形態、第３の実施の形態と同様の効果を有する。
【００３４】
以上の実施の形態では、遊技機に対応する表示器に表示情報を表示させる機能だけを持たせたが、本発明は、表示器を制御する制御装置を用いて遊技機の遊技情報を集計する機能を持たせることもできる。
表示器を制御する制御装置を用いて遊技機の遊技情報を収集する、本発明の第４の実施の形態を、図９を参照にして説明する。
本実施の形態は、表示器を制御する制御装置と、当該表示器に対応する遊技機が通信可能に構成され、中継装置用記憶装置は、変換情報データベース、表示器情報データベース、遊技機情報データベース、中継用遊技機情報データベースを有し、管理装置用記憶装置は、表示情報データベース、管理用遊技情報データベースを有している点が第１の実施の形態と異なっている。したがって、以下では、第１の実施の形態と異なる構成について説明し、第１の実施の形態と同じ構成の説明は省略する。なお、図９で示されている構成要素のうち、図１に示されている構成要素の符号の３桁目の数字「１」が「４」に変更されている符号が付されている構成要素が、図１に示されている構成要素と同等物である。
【００３５】
本実施の形態では、遊技機４１０−Ａ１〜４１０−Ａｍ、４１０−Ｂ１〜４１０−Ｂｎと、遊技機４１０−Ａ１〜４１０−Ａｍ、４１０−Ｂ１〜４１０−Ｂｎに対応する表示器４２３−Ａ１〜４２３−Ａｍ、４２３−Ｂ１〜４２３−Ｂｎを制御する制御装置（呼出表示装置４２０−Ａ１〜４２０−Ａｍ、４２０−Ｂ１〜４２０−Ｂｎの制御装置）４２４−Ａ１〜４２４−Ａｍ、４２４−Ｂ１〜４２４−Ｂｎと通信可能に構成されており、遊技機４１０−Ａ１〜４１０−Ａｍ、４１０−Ｂ１〜４１０−Ｂｎから送信される遊技情報を受信する。遊技機から送信される遊技情報としては、例えば、遊技機に投入されたパチンコ玉（アウト玉）の数を示すアウト玉数情報、パチンコ玉の入賞により遊技者に払い出されたパチンコ玉（セーフ玉）の数を示すセーフ玉数情報、大当たり遊技を発生させるか否かを決定する抽選の結果の表示が開始されるか否かを示す始動情報、大当り遊技が発生したか否かを示す大当り情報等が用いられる。
制御装置４２４−Ａ１〜４２４−Ａｍ、４２４−Ｂ１〜４２４−Ｂｎは、遊技機４１０−Ａ１〜４１０−Ａｍ、４１０−Ｂ１〜４１０−Ｂｎから送信された遊技情報を、通信回線４３０−Ａ、４３０−Ｂを介して中継装置４４０−Ａ、４４０−Ｂに送信する。
【００３６】
中継装置４４０−Ａがアクセス可能な中継装置用記憶装置４４１−Ａには、表示情報を示す第１の情報を表示器４２３−Ａ１〜４２３−Ａｍ、４２３−Ｂ１〜４２３−Ｂｎの仕様に対応する第２の情報に変換する変換情報が記憶されている変換情報データベース４４１−Ａａ、表示器３２３−Ａ１〜３２３−Ａｍ、３２３−Ｂ１〜３２３−Ｂｎの仕様を示す表示器情報が記憶されている表示器情報データベース４４１−Ａｂ、遊技機情報データベース４４１−Ａｃ、中継用遊技情報データベース４４１−Ａｄを有している。
変換情報データベース４４１−Ａａ、４４１−Ａｂとしては、図１に示した第１の実施の形態の変換情報データベース１４１−Ａａ、１４１−Ａｂと同様の構成のものを用いることができる。
遊技機情報データベース４４１−Ａｃには、遊技機４１０−Ａ１〜４１０−Ａｍの遊技機情報が記憶される。遊技機情報としては、例えば、遊技機４１０−Ａ１〜４１０−Ａｍを示す遊技機識別情報、機種を示す機種情報が用いられる。遊技機識別情報としては、典型的には、遊技機４１０−Ａ１〜４１０−Ａｍの遊技場内での配置位置を示す台番号が用いられる。
遊技機情報データベースの一例を図１０に示す。図１０に示す遊技機情報データベース４４１−Ａｃでは、遊技機４１０−Ａ１〜４１０−Ａｍの台番号（遊技機識別情報）に対応させて、各遊技機４１０−Ａ１〜４１０−Ａｍの機種情報が記憶されている。なお、表示情報管理装置４６０が、遊技機４１０−Ａ１〜４１０−Ａｍが配置されている遊技場を容易に判別することができるようにするために、遊技場を示す遊技場識別情報を遊技機情報に含ませてもよい。例えば、台番号として、［遊技場番号＋台番号］を用いることもできる。
【００３７】
中継装置４４０−Ａは、制御装置４２４−Ａ１〜４２４−Ａｍから送信された遊技機４１０−Ａ１〜４１０−Ａｍの遊技情報を集計し、集計遊技情報を中継装置用記憶装置４４１−Ａの中継用遊技情報データベース４４１−Ａｄに記憶する。
中継用遊技情報データベース４４１−Ａｄに記憶される集計遊技情報には、遊技機４１０−Ａ１〜４１０−Ａｍから送信された遊技情報が含まれていてもよい。中継用遊技情報データベース４４１−Ａｄに記憶される集計遊技情報としては、例えば、遊技機毎（台番号毎）や機種毎の、遊技中であるか否かを示す遊技中情報、アウト玉数の合計を示す総アウト玉数情報、セーフ玉数の合計を示す総セーフ玉数情報、抽選の結果を表示した回数を示す始動回数情報、大当りが発生したか否かを示す大当たり中情報、大当たり遊技を行った回数を示す大当り回数情報等が用いられる。遊技中であるか否かは、例えば、アウト玉数情報またはセーフ玉数情報が遊技機から送信されたか否かによって判別することができる。例えば、遊技機からアウト玉数情報が送信されることによって、当該遊技機での遊技が開始されたこと（遊技中であること）を判別し、当該遊技機からアウト玉数情報またはセーフ玉数情報が設定期間以上送信されなかったことによって、当該遊技機での遊技が終了したこと（遊技中でないこと）を判別する。なお、遊技機で遊技を行っている遊技者（例えば、遊技機の椅子に人が座っていること）を検出する遊技者検出装置からの遊技者検出信号に基づいて当該遊技機で遊技が行われているか否か（遊技中であるか否か）を判別する方法や、遊技機に対応して設けられているカード挿入口に挿入された会員カードに記憶されている会員情報を読み取る会員情報読取装置が会員情報を読み取っているか否か（会員カードがカード挿入口に挿入されているか否か）を示すカード検出信号に基づいて当該遊技機で遊技が行われているか否か（遊技中であるか否か）を判別する方法を用いることもできる。
中継用遊技情報データベース４４１−Ａｄの一例を図１１に示す。図１１に示されている中継用遊技情報データベース４４１−Ａｄには、中継装置４４０−Ａに対応する遊技場Ａに設けられている遊技機の台番号（遊技機識別情報）に対応させて、機種を示す機種情報、遊技中であるか否かを示す遊技中情報、アウト玉数の合計を示す総アウト玉数情報、セーフ玉数の合計を示す総セーフ玉数情報、大当り中であるか否かを示す大当り中情報、大当り階数の合計を示す大当たり回数情報、始動中であるか否かを示す始動中情報、始動回数の合計を示す始動回数情報等の集計遊技情報が記憶されている。中継用遊技情報データベース４４１−Ａｄに記憶する集計遊技情報はこれに限定されない。また、集計遊技情報を中継装置用記憶装置４４１−Ａに記憶させる態様もこれに限定されない。
【００３８】
また、中継装置４４０−Ａ、４４０−Ｂは、制御装置４２４−Ａ１〜４２４−Ａｍ、４２４−Ｂ１〜４２４−Ｂｎから送信された遊技機４１０−Ａ１〜４１０−Ａｍ、４１０−Ｂ１〜４１０−Ｂｎの遊技情報と、遊技機４１０−Ａ１〜４１０−Ａｍ、４１０−Ｂ１〜４１０−Ｂｎの遊技機情報を通信回線４５０を介して表示情報管理装置４６０に送信する。なお、中継装置４４０−Ａ、４４０−Ｂから表示情報管理装置４６０に送信される遊技機４１０−Ａ１〜４１０−Ａｍ、４１０−Ｂ１〜４１０−Ｂｎの遊技情報には、遊技情報を集計した情報が含まれていてもよい。遊技情報を集計した情報を送信する態様は、遊技情報を送信する態様に包含される。
表示情報管理装置４６０は、中継装置４４０−Ａ１、４４０−Ｂから送信された遊技機４１０−Ａ１〜４１０−Ａｍ、４１０−Ｂ１〜４１０−Ｂｎの遊技情報と、遊技機４１０−Ａ１〜４１０−Ａｍ、４１０−Ｂ１〜４１０−Ｂｎの遊技機情報に基づいて、遊技情報を集計し、集計遊技情報を管理装置用記憶装置４６１の管理用遊技情報データベース４６１ｂに記憶する。管理用遊技情報データベース４６１ｂに記憶される集計遊技情報には、中継装置４４０−Ａ、４４０−Ｂから送信された遊技情報が含まれていてもよい。管理用遊技情報データベース４６１Ｂに記憶される集計遊技情報としては、例えば、全遊技場に設けられている遊技機毎（遊技場、台番号毎）や機種毎、または、遊技場毎の遊技機毎（台番号毎）や機種毎の、遊技中であるか否かを示す遊技中情報、アウト玉数の合計を示す総アウト玉数情報、セーフ玉数の合計を示す総セーフ玉数情報、抽選の結果を表示した回数を示す始動回数情報、大当りが発生したか否かを示す大当たり中情報、大当たり遊技を行った回数を示す大当り回数情報等が用いられる。
管理用遊技情報データベース４４１−Ａｄの一例を図１２に示す。図１２に示されている管理用遊技情報データベース４４１−Ａｄには、中継装置４４０−Ａ、４４０−Ｂに対応する遊技場Ａ、Ｂに設けられている遊技機の台番号（遊技機識別情報）に対応させて、機種を示す機種情報、遊技中であるか否かを示す遊技中情報、アウト玉数の合計を示す総アウト玉数情報、セーフ玉数の合計を示す総セーフ玉数情報、大当り中であるか否かを示す大当り中情報、大当り階数の合計を示す大当たり回数情報、始動中であるか否かを示す始動中情報、始動回数の合計を示す始動回数情報等の集計遊技情報が記憶されている。なお、図示していないが、管理用遊技情報データベース４６１ｂには、各遊技機の台番号に対応させて各遊技機が配置されている遊技場を示す遊技場識別情報が記憶される。例えば、台番号として、［遊技場番号＋台番号］が用いられる。管理用遊技情報データベース４６１ｂに記憶する集計遊技情報は、集計遊技情報が必要な時に算出可能であればよく、適宜選択可能である。また、集計遊技情報を管理装置用記憶装置４６１に記憶させる態様もこれに限定されない。
【００３９】
次に、本実施の形態の動作を説明する。
制御装置４２４−Ａ１〜４２４−Ａｍは、対応する遊技機４１０−Ａ１〜４１０−Ａｍから送信された遊技情報を中継装置４４０−Ａに送信する。
中継装置４４０−Ａ、制御装置４１０−Ａ１〜４１０−Ａｍから送信された遊技機４１０−Ａ１〜４１０−Ａｍの遊技情報と、中継装置用記憶装置４４１−Ａの遊技機情報データベース４４１−Ａｃに記憶されている遊技機４１０−Ａ１〜４１０−Ａｍの遊技機情報（例えば、台番号、機種）に基づいて、遊技情報を集計した集計遊技情報を、中継装置用記憶装置４４１−Ａの中継用遊技情報データベース４４１−Ａｄに記憶する。
また、中継装置４４０−Ａは、制御装置４１０−Ａ１〜４１０−Ａｍから送信された遊技機４１０−Ａ１〜４１０−Ａｍの遊技情報と、中継装置用記憶装置４４１−Ａの遊技機情報データベース４４１−Ａｃに記憶されている遊技機４１０−Ａ１〜４１０−Ａｍの遊技機情報を表示情報管理装置４６０に送信する。この場合、中継用遊技情報データベース４４１−Ａｄに記憶されている集計用遊技情報と遊技機情報を表示情報管理装置４６０に送信してもよい。中継用遊技情報データベース４４１−Ａｄに記憶されている集計用遊技情報を送信する態様は、制御装置４１０−Ａ１〜４１０−Ａｍから送信された遊技情報を送信する態様に包含される。
表示情報管理装置４６０は、中継装置４４０−Ａ、４４０−Ｂから送信された、遊技機４１０−Ａ１〜４１０−Ａｍ、４１０−Ｂ１〜４１０−Ｂｎの遊技情報と遊技機情報に基づいて、遊技情報を集計し、集計遊技情報を管理用記憶装置４６１の管理用遊技情報データベース４６１ｂに記憶する。
【００４０】
表示情報管理装置４６０は、管理用遊技情報データベース４６１ｂに記憶されている集計遊技情報に基づいて、表示器４２３−Ａ１〜４２３−Ａｍ、４２３−Ｂ１〜４２３−Ｂｎに表示させる表示情報を作成する。
例えば、遊技機４１０−Ａ１で遊技が開始された場合（管理用遊技情報データベース４６１ｂの遊技中情報が［１］に設定された場合）には、遊技機４１０−Ａ１の遊技に関連する集計遊技情報を用いて表示情報作成する。例えば、遊技機４１０−Ａ１と同じ機種の遊技機の台数Ｘ１を算出する。そして、「あなたの遊技している［ＰＰＰＰ（機種名）］は、このシステムを導入している全国の遊技場に、現在、［Ｘ１］台設置されています。」等の表示情報を作成する。
また、遊技機４１０−Ａ１で大当り遊技が開始された場合（管理用遊技情報データベース４６１ｂの大当り中情報が［１］に設定された場合）には、遊技機４１０−Ａ１の大当りに関連する集計遊技情報を用いて表示情報を作成する。例えば、遊技機４１０−Ａ１と同じ機種の遊技機の中で大当り遊技が行われている遊技機の台数Ｘ２を算出する。そして、「あなたの遊技している［ＰＰＰＰ（機種名）］は、このシステムを導入している全国の遊技場で、現在、［Ｘ２］台が大当り中です。」等の表示情報を作成する。あるいは、遊技機４１０−Ａ１と同じ機種の遊技機で、現在までに大当り遊技が発生した回数Ｘ３を算出する。そして、「あなたの遊技している［ＰＰＰＰ（機種名）］は、このシステムを導入している全国の遊技場で、［Ｘ３＋１］番目の大当りです。」等の表示情報を作成する。
集計遊技情報に基づいて作成する表示情報や作成時期は、これに限定されない。また、作成した表示情報を送信する時期（表示情報管理装置４６０から中継装置４４０−Ａ、４４０−Ｂに送信する時期、中継装置４４０−Ａ、４４０−Ｂから制御装置４１０−Ａ１〜４１０Ａｍ、４１０−Ｂ１〜４１０Ｂｎに送信する時期）は、表示情報管理装置４６０や中継装置４４０−Ａ、４４０−Ｂに適宜設定することができる。
【００４１】
本実施の形態では、表示器４１０−Ａ１〜４１０−Ａｍ、４１０−Ｂ１〜４１０−Ｂｎを制御する制御装置４２４−Ａ１〜４２４−Ａｍ、４２４−Ｂ１〜４２４−Ｂｎを介して表示器４１０−Ａ１〜４１０−Ａｍ、４１０−Ｂ１〜４１０−Ｂｎに対応する遊技機４１０−Ａ１〜４１０−Ａｍ、４１０−Ｂ１〜４１０−Ｂｎの遊技情報を中継装置４４０−Ａ、４４０−Ｂ、さらには、表示情報管理装置４６０に送信し、遊技情報を集計した集計遊技情報を、中継装置用記憶装置４４１−Ａの中継用遊技情報データベース４４１−Ａｄ、さらには、管理用記憶装置４６１の管理用遊技情報データベース４６１ｂに記憶している。これにより、呼出表示装置の表示器を表示情報を表示する表示器として兼用することができるとともに、呼出表示装置の制御装置を遊技情報を収集する装置として兼用することができるため、安価に種々の表示情報を表示させることができるとともに、遊技情報を収集することができる。
また、表示情報管理装置４６０は、管理用遊技情報データベース４４１−Ａｄに記憶されている集計遊技情報に基づいて表示情報を作成している。これにより、遊技者や遊技場の経営者に好適な種々の表示情報を、安価に提供することができる。
なお、図９に示す実施の形態では、中継装置用記憶装置４４１−Ａに中継用遊技情報データベース４４１−Ａｄを設け、管理装置用記憶装置４６１に管理用遊技情報データベース４６１ｂを設けたが、一方のみを設けることもできる。中継装置用記憶装置４４１−Ａに中継用遊技情報データベース４４１−Ａを設けた場合には、中継装置４４０−Ａによって、中継装置４４０−Ａに対応する遊技場Ａに配置されている遊技機４１０−Ａ１〜４１０−Ａｍの遊技状態を把握することができる。一方、管理用記憶装置４６１に管理用遊技情報データベース４６１ｂを設けた場合には、表示情報管理装置４６０によって、遊技場Ａ及びＢに配置されている遊技機４１０−ａ１〜４１０−Ａｍ、４１０−Ｂ１〜４１０−Ｂｎ全体の遊技状態及び遊技場Ａあるいは遊技場Ｂに配置されている遊技機の遊技状態を把握することができる。
【００４２】
本発明は、実施の形態で説明した構成に限定されず、種々の変更、追加、削除が可能である。
例えば、表示情報を表示させる表示器としては、ＬＥＤをドットマトリクス状に配置したドットマトリクス表示器や液晶表示器に限定されず、ドット情報に基づいて制御される種々の表示器を用いることができる。
表示情報を表示する表示器として呼出表示装置の表示器を用いたが、表示情報を表示器は、遊技機に対応して設けられている表示器であればよい。
遊技機に対応して設けられている表示器に表示情報を表示する場合について説明したが、管理装置（表示情報管理装置）は、遊技機に対応して設けられていない表示器（例えば、遊技錠に設けられている表示端末装置の表示器、景品交換端末装置の表示器）への表示を指示することができるように構成することもできる。
呼出表示装置、中継装置、管理装置、表示用記憶装置、中継装置用記憶装置、管理装置用記憶装置の構成は、実施の形態で説明した構成に限定されない。
パチンコ機に対応してもうけられている表示器により遊技機用表示装置を構成したが、パチンコ機以外の種々の遊技機に対応して設けられている表示器により遊技機用表示装置を構成することができる。遊技機から送信される遊技情報や集計遊技情報は、遊技機の種類に応じて適宜選択される。
【図面の簡単な説明】
【００４３】
【図１】本発明の第１の実施の形態の概略構成図である。
【図２】表示情報データベースの一例を示す図である。
【図３】表示器の一つの仕様に対応するドット情報を示す図である。
【図５】表示器の他の仕様に対応するドット情報を示す図である。
【図３】変換情報データベースの一例を示す図である。
【図６】表示器情報データベースの一例を示す図である。
【図７】本発明の第２の実施の形態の概略構成図である。
【図８】本発明の第３の実施の形態の概略構成図である。
【図９】本発明の第４の実施の形態の概略構成図である。
【図１０】遊技機情報データベースの一例を示す図である。
【図１１】中継装置用遊技情報データベースの一例を示す図である。
【図１２】管理装置用遊技情報データベースの一例を示す図である。
【符号の説明】
【００４４】
１１０−Ａ１、１１０−Ａｍ、１１０−Ｂ１、１１０−Ｂｎ、２１０−Ａ１、２１０Ａｍ、２１０−Ｂ１、２１０−Ｂｎ、３１０−Ａ１、３１０−Ａｍ、３１０−Ｂ１、３１０−Ｂｎ、４１０−Ａ１、４１０−Ａｍ、４１０−Ｂ１、４１０−Ｂｎ  遊技機
１２０−Ａ１、１２０−Ａｍ、１２０−Ｂ１、１２０−Ｂｎ、２２０−Ａ１、２２０−Ａｍ、２２０−Ｂ１、２２０−Ｂｎ、３２０−Ａ１、３２０−Ａｍ、３２０−Ｂ１、３２０−Ｂｎ、４２０−Ａ１、４２０−Ａｍ、４２０−Ｂ１、４２１０−Ｂｎ  呼出表示装置
１２１−Ａ１、１２１−Ａｍ、１２１−Ｂ１、１２１−Ｂｎ、２２１−Ａ１、２２１−Ａｍ、２２１−Ｂ１、２２１−Ｂｎ、３２１−Ａ１、３２１−Ａｍ、３２１−Ｂ１、３２１−Ｂｎ、４２１−Ａ１、４２１−Ａｍ、４２１−Ｂ１、４２１−Ｂｎ  ランプ
１２２−Ａ１、１２２−Ａｍ、１２２−Ｂ１、１２２−Ｂｎ、２２２−Ａ１、２２２−Ａｍ、２２２−Ｂ１、２２２−Ｂｎ、３２２−Ａ１、３２２−Ａｍ、３２２−Ｂ１、３２２−Ｂｎ、４２２−Ａ１、４２２−Ａｍ、４２２−Ｂ１、４２２−Ｂｎ  呼出ボタン
１２３−Ａ１、１２３−Ａｍ、１２３−Ｂ１、１２３−Ｂｎ、２２３−Ａ１、２２３Ａｍ、２２３−Ｂ１、２２３−Ｂｎ、３２３−Ａ１、３２３−Ａｍ、３２３−Ｂ１、３２３−Ｂｎ、４２３−Ａ１、４２３−Ａｍ、４２３−Ｂ１、４２３−Ｂｎ  呼出表示装置用表示器
１２４−Ａ１、１２４−Ａｍ、１２４−Ｂ１、１２４−Ｂｎ、２２４−Ａ１、２２４Ａｍ、２２４−Ｂ１、２２４−Ｂｎ、３２４−Ａ１、３２４−Ａｍ、３２４−Ｂ１、３２４−Ｂｎ、４２４−Ａ１、４２４−Ａｍ、４２４−Ｂ１、４２４−Ｂｎ  呼出表示制御装置
１２５−Ａ１、１２５−１Ａｍ、１２５−Ｂ１、１２５−Ｂｎ、２２５−Ａ１、２２５−Ａｍ、２２５−Ｂ１、２２５−Ｂｎ、３２５−Ａ１、３２５−Ａｍ、３２５−Ｂ１、３２５−Ｂｎ、４２５−Ａ１、４２５−Ａｍ、４２５−Ｂ１、４２５−Ｂｎ  呼出表示装置用記憶装置
１４０−Ａ、１４０−Ｂ、２４０−Ａ、２４０−Ｂ、３４０−Ａ、３４０−Ｂ、４４０−Ａ、４４０−Ｂ  中継装置
１４１−Ａ、１４１−Ｂ、２４１−Ａ、２４１−Ｂ、３４１−Ａ、３４１−Ｂ、４４１−Ａ、４４１−Ｂ  中継装置用記憶装置
１４１−Ａａ、２４１−Ａａ、３６１ｂ、４４１−Ａａ  変換情報データベース
１４１−Ａｂ、３４１−Ａａ、４４１−Ａｂ  表示器情報データベース
１６０  表示情報管理装置
１６１  管理装置用記憶装置
１６１ａ、２６１ａ、３６１ａ、４６１ａ  表示情報データベース
４４１−Ａｃ  遊技機情報データベース
４４１−Ａｄ  中継用遊技情報データベース
４６１ｂ  管理装置用遊技情報データベース
【図１】
2008206595.tif 000003
【図２】
2008206595.tif 000004
【図３】
2008206595.tif 000005
【図４】
2008206595.tif 000006
【図５】
2008206595.tif 000007
【図６】
2008206595.tif 000008
【図７】
2008206595.tif 000009
【図８】
2008206595.tif 000010
【図９】
2008206595.tif 000011
【図１０】
2008206595.tif 000012
【図１１】
2008206595.tif 000013
【図１２】
2008206595.tif 000014
【手続補正書】
【提出日】平成19年3月1日(2007.3.1)
【手続補正１】
【補正対象書類名】明細書
【補正対象項目名】００４３
【補正方法】変更
【補正の内容】
【００４３】
【図１】本発明の第１の実施の形態の概略構成図である。
【図２】表示情報データベースの一例を示す図である。
【図３】表示器の一つの仕様に対応するドット情報を示す図である。
【図４】表示器の他の仕様に対応するドット情報を示す図である。
【図５】変換情報データベースの一例を示す図である。
【図６】表示器情報データベースの一例を示す図である。
【図７】本発明の第２の実施の形態の概略構成図である。
【図８】本発明の第３の実施の形態の概略構成図である。
【図９】本発明の第４の実施の形態の概略構成図である。
【図１０】遊技機情報データベースの一例を示す図である。
【図１１】中継用遊技情報データベースの一例を示す図である。
【図１２】管理装置用遊技情報データベースの一例を示す図である。